(57)【要約】      （修正有）【課題】無線信号送受信過程を効率的に行う方法及びそのための装置を提供する。【解決手段】端末装置は、複数のサブフレームについてのＵＬ（上りリンク)スケジューリング情報を含むＤＣＩ（下りリンク制御情報）を受信するＳ１５０２。ＤＣＩはＳＲＳ（サウンディング参照信号）要請情報を含み、ＳＲＳ要請情報の指示に従って、複数のサブフレーム内の既指定のサブフレームを介して１回だけＳＲＳを送信するＳ１５０４。既指定のサブフレームは複数のサブフレーム内でＵＬ送信がスケジューリングされた最初のサブフレーム又はＵＬ送信がスケジューリングされた最後のサブフレームを含む。【選択図】図１５
2020039163.tif 000002
【特許請求の範囲】
【請求項１】
無線通信システムにおいて端末が通信を行う方法であって、
複数の時間区間内のＵＬスケジューリングのための下りリンク制御情報（ＤＣＩ）を受信するステップであって、前記ＤＣＩはＵＬ送信がスケジューリングされる時間区間の個数Ｎｓｆに関連する情報を含む、ステップと、
前記ＤＣＩに基づいて、前記複数の時間区間でＮｓｆ個のＵＬ送信を行うステップと、
を含み、
前記ＤＣＩのサイズは、前記Ｎｓｆにかかわらず、Ｎｓｆ＿ｍａｘ個の新規データ指示子（ＮＤＩ）ビットに基づいて定義され、前記Ｎｓｆ＿ｍａｘは、ＵＬ送信をスケジューリングできる時間区間の最大個数を表す、方法。
【請求項２】
前記複数の時間区間は、複数のサブフレーム又は複数のスロットを含む、請求項１に記載の方法。
【請求項３】
ＵＬ送信がスケジューリングされる前記複数の時間区間に対応するＮｓｆ個のＮＤＩビットのみが、前記ＤＣＩにおいて使用される、請求項１又は２に記載の方法。
【請求項４】
前記ＤＣＩは、Ｎｓｆ個の時間区間に共通に適用される第１情報、前記Ｎｓｆ個の時間区間の１つにのみ適用される第２情報、及び前記Ｎｓｆ個の時間区間に属する各サブフレームに個別に適用される第３情報を含み、
前記第１情報は、リソース割当（ＲＡ）情報、変調及び符号方式（ＭＣＳ）情報、復調参照信号循環シフト（ＤＭＲＳ  ＣＳ）情報、及び送信電力制御（ＴＰＣ）情報を含み、前記第２情報は、チャネル状態情報（ＣＳＩ）要請情報及びサウンディング参照信号（ＳＲＳ）情報を含み、前記第３情報は、新規データ指示子（ＮＤＩ）情報、リダンダンシーバージョン（ＲＶ）情報、及びＨＡＲＱプロセス番号情報を含む、請求項１〜３のいずれか一項に記載の方法。
【請求項５】
前記Ｎｓｆは前記Ｎｓｆ＿ｍａｘより小さい、請求項１〜４のいずれか一項に記載の方法。
【請求項６】
前記Ｎｓｆ個のＵＬ送信は、物理上りリンク共有チャネル（ＰＵＳＣＨ）送信を含む、請求項１〜５のいずれか一項に記載の方法。
【請求項７】
前記Ｎｓｆ個のＵＬ送信は、ＵＣｅｌｌ上で動作する、請求項１〜６のいずれか一項に記載の方法。
【請求項８】
前記無線通信システムは、ＬＴＥ  ＬＡＡに基づいた無線通信システムを含む、請求項１〜７のいずれか一項に記載の方法。
【請求項９】
無線通信システムに使われる端末であって、
ＲＦモジュールと、
プロセッサと、を含み、
前記プロセッサは、複数の時間区間内のＵＬスケジューリングのための下りリンク制御情報（ＤＣＩ）を受信し、前記ＤＣＩはＵＬ送信がスケジューリングされる時間区間の個数Ｎｓｆに関連する情報を含み、前記ＤＣＩに基づいて、前記複数の時間区間でＮｓｆ個のＵＬ送信を行うように構成され、
前記ＤＣＩのサイズは、前記Ｎｓｆにかかわらず、Ｎｓｆ＿ｍａｘ個の新規データ指示子（ＮＤＩ）ビットに基づいて定義され、前記Ｎｓｆ＿ｍａｘは、ＵＬ送信をスケジューリングできる時間区間の最大個数を表す、端末。
【請求項１０】
前記複数の時間区間は、複数のサブフレーム又は複数のスロットを含む、請求項９に記載の端末。
【請求項１１】
ＵＬ送信がスケジューリングされる前記複数の時間区間に対応するＮｓｆ個のＮＤＩビットのみが、前記ＤＣＩにおいて使用される、請求項９又は１０に記載の端末。
【請求項１２】
前記ＤＣＩは、Ｎｓｆ個の時間区間に共通に適用される第１情報、前記Ｎｓｆ個の時間区間の１つにのみ適用される第２情報、及び前記Ｎｓｆ個の時間区間に属する各サブフレームに個別に適用される第３情報を含み、
前記第１情報は、リソース割当（ＲＡ）情報、変調及び符号方式（ＭＣＳ）情報、復調参照信号循環シフト（ＤＭＲＳ  ＣＳ）情報、及び送信電力制御（ＴＰＣ）情報を含み、前記第２情報は、チャネル状態情報（ＣＳＩ）要請情報及びサウンディング参照信号（ＳＲＳ）情報を含み、前記第３情報は、新規データ指示子（ＮＤＩ）情報、リダンダンシーバージョン（ＲＶ）情報、及びＨＡＲＱプロセス番号情報を含む、請求項９〜１１のいずれか一項に記載の端末。
【請求項１３】
前記Ｎｓｆは前記Ｎｓｆ＿ｍａｘより小さい、請求項９〜１２のいずれか一項に記載の端末。
【請求項１４】
前記Ｎｓｆ個のＵＬ送信は、物理上りリンク共有チャネル（ＰＵＳＣＨ）送信を含む、請求項９〜１３のいずれか一項に記載の端末。
【請求項１５】
前記Ｎｓｆ個のＵＬ送信は、ＵＣｅｌｌ上で動作する、請求項９〜１４のいずれか一項に記載の端末。
【請求項１６】
前記無線通信システムは、ＬＴＥ  ＬＡＡに基づいた無線通信システムを含む、請求項９〜１５のいずれか一項に記載の端末。
【発明の詳細な説明】
【技術分野】
【０００１】
本発明は無線通信システムに関し、より詳しくは無線信号送受信方法及び装置に関する。無線通信システムはＣＡ（Ｃａｒｒｉｅｒ  Ａｇｇｒｅｇａｔｉｏｎ）に基づいた無線通信システムを含む。
【背景技術】
【０００２】
無線通信システムが、音声やデータなどの多様な種類の通信サービスを提供するために広範囲に展開されている。一般に、無線通信システムは、利用可能なシステムリソース（帯域幅、送信パワーなど）を共有して多重ユーザとの通信を支援することができる多重アクセス（Ｍｕｌｔｉｐｌｅ  ａｃｃｅｓｓ）システムである。多重アクセスシステムの例としては、ＣＤＭＡ（ｃｏｄｅ  ｄｉｖｉｓｉｏｎ  Ｍｕｌｔｉｐｌｅ  ａｃｃｅｓｓ）システム、ＦＤＭＡ（ｆｒｅｑｕｅｎｃｙ  ｄｉｖｉｓｉｏｎ  Ｍｕｌｔｉｐｌｅ  ａｃｃｅｓｓ）システム、ＴＤＭＡ（ｔｉｍｅ  ｄｉｖｉｓｉｏｎ  Ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  Ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  Ｍｕｌｔｉｐｌｅ  ａｃｃｅｓｓ）システムなどがある。
【発明の概要】
【発明が解決しようとする課題】
【０００３】
本発明の目的は無線信号送受信過程を効率的に行う方法及びそのための装置を提供することにある。
【０００４】
本発明で達成しようとする技術的課題は、上述した技術的課題に制限されず、言及していない他の技術的課題は、下記の記載から、本発明の属する技術分野における通常の知識を有する者には明確に理解されるであろう。
【課題を解決するための手段】
【０００５】
本発明の一態様において、無線通信システムにおいて端末が通信を行う方法であって、複数のサブフレームについてのＵＬスケジューリング情報を含むＤＣＩ（Ｄｏｗｎｌｉｎｋ  Ｃｏｎｔｒｏｌ  Ｉｎｆｏｒｍａｔｉｏｎ）を受信する段階であって、前記ＤＣＩはＳＲＳ（Ｓｏｕｎｄｉｎｇ  Ｒｅｆｅｒｅｎｃｅ  Ｓｉｇｎａｌ）要請情報をさらに含む段階；及び前記ＳＲＳ要請情報の指示に従って、前記複数のサブフレーム内の既指定のサブフレームを介して１回だけＳＲＳを送信する段階を含み、前記既指定のサブフレームは前記複数のサブフレーム内でＵＬ送信がスケジューリングされた最初のサブフレーム又はＵＬ送信がスケジューリングされた最後のサブフレームを含む方法が提供される。
【０００６】
本発明の他の態様において、無線通信システムに使われる端末であって、ＲＦ（Ｒａｄｉｏ  Ｆｒｅｑｕｅｎｃｙ）モジュール；及びプロセッサを含み、前記プロセッサは、複数のサブフレームについてのＵＬスケジューリング情報を含むＤＣＩ（Ｄｏｗｎｌｉｎｋ  Ｃｏｎｔｒｏｌ  Ｉｎｆｏｒｍａｔｉｏｎ）を受信し、前記ＤＣＩはＳＲＳ（Ｓｏｕｎｄｉｎｇ  Ｒｅｆｅｒｅｎｃｅ  Ｓｉｇｎａｌ）要請情報をさらに含み、前記ＳＲＳ要請情報の指示に従って、前記複数のサブフレーム内の既指定のサブフレームを介して１回だけＳＲＳを送信するように構成され、前記既指定のサブフレームは前記複数のサブフレーム内でＵＬ送信がスケジューリングされた最初のサブフレーム又はＵＬ送信がスケジューリングされた最後のサブフレームを含む端末が提供される。
【０００７】
好ましくは、前記ＵＬスケジューリング情報に基づき、前記複数のサブフレームで複数のＵＬ送信をさらに行うことができる。
【０００８】
好ましくは、前記ＵＬ送信はＰＵＳＣＨ（Ｐｈｙｓｉｃａｌ  Ｕｐｌｉｎｋ  Ｓｈａｒｅｄ  Ｃｈａｎｎｅｌ）を含むことができる。
【０００９】
好ましくは、前記ＤＣＩは非免許バンドで動作するＵＣｅｌｌ（ｕｎｌｉｃｅｎｓｅｄ  ｃｅｌｌ）上の複数のサブフレームについてのＵＬスケジューリング情報を含み、前記ＳＲＳは前記ＵＣｅｌｌ上で送信されることができる。
【００１０】
好ましくは、前記ＤＣＩは前記ＵＣｅｌｌ又は免許バンドで動作するＬＣｅｌｌ（ｌｉｃｅｎｓｅｄ  ｃｅｌｌ）上で受信されることができる。
【００１１】
好ましくは、前記ＤＣＩは前記複数のサブフレームでＵＬ送信がスケジューリングされたサブフレームの個数を指示する情報をさらに含むことができる。
【００１２】
好ましくは、前記無線通信システムはＬＴＥ（Ｌｏｎｇ  Ｔｅｒｍ  Ｅｖｏｌｕｔｉｏｎ）ＬＡＡ（Ｌｉｃｅｎｓｅ  Ａｓｓｉｓｔｅｄ  Ａｃｃｅｓｓ）に基づいた無線通信システムを含むことができる。
【００１３】
本発明のさらに他の態様において、無線通信システムにおいて端末が通信を行う方法であって、複数のサブフレームについてのＵＬスケジューリング情報を含むＤＣＩ（Ｄｏｗｎｌｉｎｋ  Ｃｏｎｔｒｏｌ  Ｉｎｆｏｒｍａｔｉｏｎ）を受信する段階であって、前記ＤＣＩはＵＬ送信がスケジューリングされたサブフレームの個数Ｎｓｆを指示する情報をさらに含む段階、及び前記ＵＬスケジューリング情報に基づき、前記複数のサブフレームでＮｓｆ個のＵＬ送信を行う段階を含み、前記ＤＣＩのサイズはＵＬ送信がスケジューリングされることができるサブフレームの最大個数Ｎｓｆ＿ｍａｘに合わせて定義され、ＮｓｆがＮｓｆ＿ｍａｘより小さい方法が提供される。
【００１４】
本発明のさらに他の態様において、無線通信システムに使われる端末であって、ＲＦ（Ｒａｄｉｏ  Ｆｒｅｑｕｅｎｃｙ）モジュール；及びプロセッサを含み、前記プロセッサは、複数のサブフレームについてのＵＬスケジューリング情報を含むＤＣＩ（Ｄｏｗｎｌｉｎｋ  Ｃｏｎｔｒｏｌ  Ｉｎｆｏｒｍａｔｉｏｎ）を受信し、前記ＤＣＩはＵＬ送信がスケジューリングされたサブフレームの個数Ｎｓｆを指示し、前記ＵＬスケジューリング情報に基づき、前記複数のサブフレームでＮｓｆ個のＵＬ送信を行うように構成され、前記ＤＣＩのサイズはＵＬ送信がスケジューリングされることができるサブフレームの最大個数Ｎｓｆ＿ｍａｘに合わせて定義され、ＮｓｆがＮｓｆ＿ｍａｘより小さい端末が提供されることができる。
【００１５】
好ましくは、前記ＤＣＩのサイズはＮｓｆ＿ｍａｘ個のＮＤＩ（Ｎｅｗ  Ｄａｔａ  Ｉｎｄｉｃａｔｉｏｎ）ビットを基準として定義され、前記ＤＣＩではＵＬ送信がスケジューリングされたサブフレームに対応するＮｓｆ個のＮＤＩビットのみ使われることができる。
【００１６】
好ましくは、前記ＤＣＩはＮｓｆ個のサブフレームに共通して適用される第１情報、Ｎｓｆ個のサブフレームのうち一つのサブフレームにだけ適用される第２情報、及びＮｓｆ個のサブフレームに属するそれぞれのサブフレームに個別的に適用される第３情報を含み、
【００１７】
−前記第１情報はＲＡ（Ｒｅｓｏｕｒｃｅ  Ａｌｌｏｃａｔｉｏｎ）情報、ＭＣＳ（Ｍｏｄｕｌａｔｉｏｎ  ａｎｄ  Ｃｏｄｉｎｇ  Ｓｃｈｅｍｅ）情報、ＤＭＲＳ  ＣＳ（Ｄｅｍｏｄｕｌａｔｉｏｎ  Ｒｅｆｅｒｅｎｃｅ  Ｓｉｇｎａｌ  Ｃｙｃｌｉｃ  Ｓｈｉｆｔ）情報、及びＴＰＣ（Ｔｒａｎｓｍｉｔ  Ｐｏｗｅｒ  Ｃｏｎｔｒｏｌ）情報を含み、
【００１８】
−前記第２情報はＣＳＩ（Ｃｈａｎｎｅｌ  Ｓｔａｔｅ  Ｉｎｆｏｒｍａｔｉｏｎ）要請情報、及びＳＲＳ（Ｓｏｕｎｄｉｎｇ  Ｒｅｆｅｒｅｎｃｅ  Ｓｉｇｎａｌ）情報を含み、
【００１９】
−前記第３情報はＮＤＩ（Ｎｅｗ  Ｄａｔａ  Ｉｎｄｉｃａｔｏｒ）情報、ＲＶ（Ｒｅｄｕｎｄａｎｃｙ  Ｖｅｒｓｉｏｎ）情報、及びＨＡＲＱ（Ｈｙｂｒｉｄ  ＡＲＱ）プロセス番号情報を含むことができる。
【発明の効果】
【００２０】
本発明によると、無線通信システムにおける無線信号送受信を効率的に行うことができる。
【００２１】
本発明で得られる効果は、以上に言及した効果に制限されず、言及していない他の効果は、下記の記載から、本発明の属する技術分野における通常の知識を有する者には明確に理解されるであろう。
【図面の簡単な説明】
【００２２】
本発明に関する理解を助けるために詳細な説明の一部として含まれる添付図面は、本発明に係る実施例を提供し、詳細な説明と共に本発明の技術的思想を説明する。
【００２３】
【図１】無線通信システムの一例である３ＧＰＰ  ＬＴＥ（−Ａ）システムに用いられる物理チャネル及びこれらを用いた一般的な信号送信方法を例示する図である。
【図２】無線フレーム（ｒａｄｉｏ  ｆｒａｍｅ）の構造を例示する図である。
【図３】下りリンクスロットのリソースグリッドを例示する図である。
【図４】下りリンクサブフレームの構造を示す図である。
【図５】ＥＰＤＣＣＨ（ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）を例示する図である。
【図６】ＬＴＥ（−Ａ）で使われる上りリンクサブフレームの構造を例示する図である。
【図７】上りリンク−下りリンクフレームタイミングを例示する図である。
【図８】ＵＬ  ＨＡＲＱ（Ｕｐｌｉｎｋ  Ｈｙｂｒｉｄ  Ａｕｔｏｍａｔｉｃ  Ｒｅｐｅａｔ  ｒｅＱｕｅｓｔ）動作を例示する図である。
【図９】キャリアアグリゲーション（Ｃａｒｒｉｅｒ  Ａｇｇｒｅｇａｔｉｏｎ、ＣＡ）通信システムを例示する図である。
【図１０】クロスキャリアスケジューリング（ｃｒｏｓｓ−ｃａｒｒｉｅｒ  ｓｃｈｅｄｕｌｉｎｇ）を例示する図である。
【図１１】免許バンド（ｌｉｃｅｎｓｅｄ  ｂａｎｄ）と非免許バンド（ｕｎｌｉｃｅｎｓｅｄ  ｂａｎｄ）のキャリアアグリゲーションを例示する図である。
【図１２】非免許バンド内でリソースを占有する方法を例示する図である。
【図１３】非免許バンド内でリソースを占有する方法を例示する図である。
【図１４】本発明によるＵＬ送信過程を例示する図である。
【図１５】本発明によるＳＲＳ送信過程を例示する図である。
【図１６】本発明に適用可能な基地局及び端末を例示する図である。
【発明を実施するための形態】
【００２４】
以下の技術は、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  Ｍｕｌｔｉｐｌｅ  ａｃｃｅｓｓ）などのような様々な無線接続システムに使用することができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）で具現することができる。ＴＤＭＡは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術で具現することができる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（Ｅｖｏｌｖｅｄ  ＵＴＲＡ）などのような無線技術で具現することができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）  ＬＴＥ（ｌｏｎｇｔｅｒｍ  ｅｖｏｌｕｔｉｏｎ）は、Ｅ−ＵＴＲＡを使用するＥ−ＵＭＴＳ（Ｅｖｏｌｖｅｄ  ＵＭＴＳ）の一部であって、下りリンクでＯＦＤＭＡを採用し、上りリンクでＳＣ−ＦＤＭＡを採用する。ＬＴＥ−Ａ（Ａｄｖａｎｃｅｄ）は、３ＧＰＰ  ＬＴＥの進展したバージョンである。説明を明確にするために、３ＧＰＰ  ＬＴＥ／ＬＴＥ−Ａを中心に記述するが、本発明の技術的思想がこれに制限されるものではない。
【００２５】
無線通信システムにおいて、端末は基地局から下りリンク（Ｄｏｗｎｌｉｎｋ、ＤＬ）を介して情報を受信し、端末は基地局に上りリンク（Ｕｐｌｉｎｋ、ＵＬ）を介して情報を送信する。基地局と端末が送受信する情報はデータ及び多様な制御情報を含み、これらが送受信する情報の種類／用途によって多様な物理チャネルが存在する。
【００２６】
図１は３ＧＰＰ  ＬＴＥシステムに用いられる物理チャネル及びこれらを用いた一般的な信号送信方法を説明するための図である。
【００２７】
電源が切れた状態でまた電源が入るとか、あるいは新たにセルに進入した端末は段階Ｓ１０１で基地局と同期を取るなどの初期セル探索（Ｉｎｉｔｉａｌ  ｃｅｌｌ  ｓｅａｒｃｈ）作業を行う。このために、端末は基地局から主同期チャネル（Ｐｒｉｍａｒｙ  Ｓｙｎｃｈｒｏｎｉｚａｔｉｏｎ  Ｃｈａｎｎｅｌ、Ｐ−ＳＣＨ）及び副同期チャネル（Ｓｅｃｏｎｄａｒｙ  Ｓｙｎｃｈｒｏｎｉｚａｔｉｏｎ  Ｃｈａｎｎｅｌ、Ｓ−ＳＣＨ）を受信して基地局と同期を取り、セルＩＤ（ｃｅｌｌ  ｉｄｅｎｔｉｔｙ）などの情報を取得する。その後、端末は、基地局から物理放送チャネル（Ｐｈｙｓｉｃａｌ  Ｂｒｏａｄｃａｓｔ  Ｃｈａｎｎｅｌ、ＰＢＣＨ）を受信してセル内放送情報を取得することができる。一方、端末は初期セル探索段階で下りリンク参照信号（Ｄｏｗｎｌｉｎｋ  Ｒｅｆｅｒｅｎｃｅ  Ｓｉｇｎａｌ、ＤＬ  ＲＳ）を受信して下りリンクチャネル状態を確認することができる。
【００２８】
初期セル探索を終えた端末は段階Ｓ１０２で物理下りリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）及び物理下りリンク制御チャネル情報による物理下りリンク共有チャネル（Ｐｈｙｓｉｃａｌ  Ｄｏｗｎｌｉｎｋ  Ｃｏｎｔｒｏｌ  Ｃｈａｎｎｅｌ、ＰＤＳＣＨ）を受信してより具体的なシステム情報を取得することができる。
【００２９】
その後、端末は、基地局への接続を完了するために、段階Ｓ１０３〜段階Ｓ１０６のような任意接続過程（Ｒａｎｄｏｍ  Ａｃｃｅｓｓ  Ｐｒｏｃｅｄｕｒｅ）を行うことができる。このために、端末は、物理任意接続チャネル（Ｐｈｙｓｉｃａｌ  Ｒａｎｄｏｍ  Ａｃｃｅｓｓ  Ｃｈａｎｎｅｌ、ＰＲＡＣＨ）を介してプリアンブル（ｐｒｅａｍｂｌｅ）を送信し（Ｓ１０３）、物理下りリンク制御チャネル及びこれに対応する物理下りリンク共有チャネルを介してプリアンブルに対する応答メッセージを受信することができる（Ｓ１０４）。競争に基づいた任意接続（Ｃｏｎｔｅｎｔｉｏｎ  ｂａｓｅｄ  ｒａｎｄｏｍ  ａｃｃｅｓｓ）の場合、追加の物理任意接続チャネルの送信（Ｓ１０５）及び物理下りリンク制御チャネル及びこれに対応する物理下りリンク共有チャネル受信（Ｓ１０６）のような衝突解決過程（Ｃｏｎｔｅｎｔｉｏｎ  Ｒｅｓｏｌｕｔｉｏｎ  Ｐｒｏｃｅｄｕｒｅ）を行うことができる。
【００３０】
上述したような過程を行った端末は、その後、一般的な上り／下りリンク信号送信過程として物理下りリンク制御チャネル／物理下りリンク共有チャネル受信（Ｓ１０７）及び物理上りリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）／物理上りリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）送信（Ｓ１０８）を行うことができる。端末が基地局に送信する制御情報を通称して上りリンク制御情報（Ｕｐｌｉｎｋ  Ｃｏｎｔｒｏｌ  Ｉｎｆｏｒｍａｔｉｏｎ、ＵＣＩ）という。ＵＣＩはＨＡＲＱ  ＡＣＫ／ＮＡＣＫ（Ｈｙｂｒｉｄ  Ａｕｔｏｍａｔｉｃ  Ｒｅｐｅａｔ  ａｎｄ  ｒｅＱｕｅｓｔ  Ａｃｋｎｏｗｌｅｄｇｅｍｅｎｔ／Ｎｅｇａｔｉｖｅ−ＡＣＫ）、ＳＲ（Ｓｃｈｅｄｕｌｉｎｇ  Ｒｅｑｕｅｓｔ）、ＣＳＩ（Ｃｈａｎｎｅｌ  Ｓｔａｔｅ  Ｉｎｆｏｒｍａｔｉｏｎ）などを含む。ＣＳＩはＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｉｏｎ）などを含む。ＵＣＩは一般的にＰＵＣＣＨを介して送信されるが、制御情報とトラフィックデータが同時に送信されなければならない場合はＰＵＳＣＨを介して送信されることができる。また、ネットワークの要請／指示によってＰＵＳＣＨを介してＵＣＩを非周期的に送信することができる。
【００３１】
図２は無線フレーム（ｒａｄｉｏ  ｆｒａｍｅ）の構造を例示する。上りリンク／下りリンクデータパケット送信はサブフレーム単位でなされ、サブフレームは多数のシンボルを含む時間区間と定義される。３ＧＰＰ  ＬＴＥ標準ではＦＤＤ（Ｆｒｅｑｕｅｎｃｙ  Ｄｉｖｉｓｉｏｎ  Ｄｕｐｌｅｘ）に適用可能なタイプ１無線フレーム（ｒａｄｉｏ  ｆｒａｍｅ）構造とＴＤＤ（Ｔｉｍｅ  Ｄｉｖｉｓｉｏｎ  Ｄｕｐｌｅｘ）に適用可能なタイプ２無線フレーム構造を支援する。
【００３２】
図２（ａ）はタイプ１無線フレームの構造を例示する。下りリンク無線フレームは１０個のサブフレームで構成され、一つのサブフレームは時間ドメイン（ｔｉｍｅ  ｄｏｍａｉｎ）で二つのスロット（ｓｌｏｔ）で構成される。一つのサブフレームが送信されるのにかかる時間をＴＴＩ（ｔｒａｎｓｍｉｓｓｉｏｎ  ｔｉｍｅ  ｉｎｔｅｒｖａｌ）と言う。例えば、一つのサブフレームの長さは１ｍｓ、一つのスロットの長さは０．５ｍｓであり得る。一つのスロットは時間領域で複数のＯＦＤＭシンボルを含み、周波数領域で多数のリソースブロック（Ｒｅｓｏｕｒｃｅ  Ｂｌｏｃｋ、ＲＢ）を含む。３ＧＰＰ  ＬＴＥシステムにおいては、下りリンクでＯＦＤＭを使うので、ＯＦＤＭシンボルが一つのシンボル区間を示す。ＯＦＤＭシンボルはまたＳＣ−ＦＤＭＡシンボル又はシンボル区間と呼ぶことができる。リソース割当単位としてのリソースブロック（ＲＢ）は一つのスロットで複数の連続的な副搬送波（ｓｕｂｃａｒｒｉｅｒ）を含むことができる。
【００３３】
スロットに含まれるＯＦＤＭシンボルの数はＣＰ（Ｃｙｃｌｉｃ  Ｐｒｅｆｉｘ）の構成（ｃｏｎｆｉｇｕｒａｔｉｏｎ）によって変わることができる。ＣＰには拡張ＣＰ（ｅｘｔｅｎｄｅｄ  ＣＰ）とノーマルＣＰ（ｎｏｒｍａｌ  ＣＰ）がある。例えば、ＯＦＤＭシンボルがノーマルＣＰによって構成された場合、一つのスロットに含まれるＯＦＤＭシンボルの数は７個であり得る。ＯＦＤＭシンボルが拡張したＣＰによって構成された場合、一つのＯＦＤＭシンボルの長さが増えるので、一つのスロットに含まれるＯＦＤＭシンボルの数はノーマルＣＰの場合より少ない。例えば、拡張ＣＰの場合、一つのスロットに含まれるＯＦＤＭシンボルの数は６個であり得る。端末が高速で移動するなどの場合のようにチャネル状態が不安定な場合、シンボル間の干渉を一層減らすために拡張ＣＰを使うことができる。
【００３４】
ノーマルＣＰが使われる場合、スロットは７個のＯＦＤＭシンボルを含むので、サブフレームは１４個のＯＦＤＭシンボルを含む。サブフレームにおいて初めの最大で３個のＯＦＤＭシンボルはＰＤＣＣＨ（Ｐｈｙｓｉｃａｌ  Ｄｏｗｎｌｉｎｋ  Ｃｏｎｔｒｏｌ  Ｃｈａｎｎｅｌ）に割り当てられ、残りのＯＦＤＭシンボルはＰＤＳＣＨ（ｐｈｙｓｉｃａｌ  ｄｏｗｎｌｉｎｋ  ｓｈａｒｅｄ  ｃｈａｎｎｅｌ）に割り当てられることができる。
【００３５】
図２（ｂ）はタイプ２無線フレームの構造を例示する。タイプ２無線フレームは二つのハーフフレーム（ｈａｌｆ  ｆｒａｍｅ）で構成される。ハーフフレームは４（５）個の一般サブフレームと１（０）個のスペシャルサブフレームを含む。一般サブフレームはＵＬ−ＤＬ構成（Ｕｐｌｉｎｋ−Ｄｏｗｎｌｉｎｋ  Ｃｏｎｆｉｇｕｒａｔｉｏｎ）によって上りリンク又は下りリンクに使われる。サブフレームは二つのスロットで構成される。
【００３６】
表１はＵＬ−ＤＬ構成による無線フレーム内のサブフレーム構成を例示する。
【００３７】
【表１】
2020039163.tif 000003
【００３８】
表で、Ｄは下りリンクサブフレームを、Ｕは上りリンクサブフレームを、Ｓはスペシャル（ｓｐｅｃｉａｌ）サブフレームを示す。スペシャルサブフレームはＤｗＰＴＳ（Ｄｏｗｎｌｉｎｋ  Ｐｉｌｏｔ  ＴｉｍｅＳｌｏｔ）、ＧＰ（Ｇｕａｒｄ  Ｐｅｒｉｏｄ）、ＵｐＰＴＳ（Ｕｐｌｉｎｋ  Ｐｉｌｏｔ  ＴｉｍｅＳｌｏｔ）を含む。ＤｗＰＴＳは端末での初期セル探索、同期化又はチャネル推定に使われる。ＵｐＰＴＳは基地局でのチャネル推定と端末の上りリンク送信同期を取るのに使われる。保護区間は上りリンクと下りリンクの間に下りリンク信号の多重経路遅延によって上りリンクで発生する干渉を除去するための区間である。
【００３９】
無線フレームの構造は例示に過ぎなく、無線フレームにおいてサブフレームの数、スロットの数、シンボルの数は多様に変更可能である。
【００４０】
図３は下りリンクスロットのリソースグリッドを例示する。
【００４１】
図３を参照すると、下りリンクスロットは時間ドメインで複数のＯＦＤＭシンボルを含む。ここで、一つの下りリンクスロットは７個のＯＦＤＭシンボルを含み、一つのリソースブロック（ＲＢ）は周波数ドメインで１２個の副搬送波を含むものとして例示された。しかし、本発明がこれに制限されるのではない。リソースグリッド上でそれぞれの要素はリソース要素（Ｒｅｓｏｕｒｃｅ  Ｅｌｅｍｅｎｔ、ＲＥ）と呼ばれる。一つのＲＢは１２×７ＲＥを含む。下りリンクスロットに含まれたＲＢの個数ＮＤＬは下りリンク送信帯域に依存する。上りリンクスロットの構造は下りリンクスロットの構造と同一であっても良い。
【００４２】
図４は下りリンクサブフレームの構造を例示する。
【００４３】
図４を参照すると、サブフレーム内で一番目スロットの前に位置する最大で３（４）個のＯＦＤＭシンボルが制御チャネルの割り当てられる制御領域に相当する。残りのＯＦＤＭシンボルはＰＤＳＣＨ（ｐｈｙｓｉｃａｌ  ｄｏｗｎｌｉｎｋ  ｓｈａｒｅｄ  ｃｈａｎｃｅｌ）が割り当てられるデータ領域に相当し、データ領域の基本リソース単位はＲＢである。ＬＴＥで使われる下りリンク制御チャネルの例はＰＣＦＩＣＨ（ｐｈｙｓｉｃａｌ  ｃｏｎｔｒｏｌ  ｆｏｒｍａｔ  ｉｎｄｉｃａｔｏｒ  ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＨＩＣＨ（ｐｈｙｓｉｃａｌ  ｈｙｂｒｉｄ  ＡＲＱ  ｉｎｄｉｃａｔｏｒ  ｃｈａｎｎｅｌ）などを含む。ＰＣＦＩＣＨはサブフレームの一番目ＯＦＤＭシンボルで送信され、サブフレーム内で制御チャネルの送信に使われるＯＦＤＭシンボルの個数についての情報を搬送する。ＰＨＩＣＨは上りリンク送信に対する応答であり、ＨＡＲＱ  ＡＣＫ／ＮＡＣＫ（ａｃｋｎｏｗｌｅｄｇｍｅｎｔ／ｎｅｇａｔｉｖｅ−ａｃｋｎｏｗｌｅｄｇｍｅｎｔ）信号を搬送する。ＰＤＣＣＨを介して送信される制御情報はＤＣＩ（ｄｏｗｎｌｉｎｋ  ｃｏｎｔｒｏｌ  ｉｎｆｏｒｍａｔｉｏｎ）と呼ばれる。ＤＣＩは上りリンク又は下りリンクスケジューリング情報又は任意の端末グループのための上りリンク送信電力制御命令（Ｔｒａｎｓｍｉｔ  Ｐｏｗｅｒ  Ｃｏｎｔｒｏｌ  Ｃｏｍｍａｎｄ）を含む。
【００４４】
ＰＤＣＣＨを介して送信される制御情報をＤＣＩ（Ｄｏｗｎｌｉｎｋ  ｃｏｎｔｒｏｌ  ｉｎｆｏｒｍａｔｉｏｎ）と言う。ＤＣＩフォーマット（ｆｏｒｍａｔ）は上りリンク用にフォーマット０、３、３Ａ、４、下りリンク用にフォーマット１、１Ａ、１Ｂ、１Ｃ、１Ｄ、２、２Ａ、２Ｂ、２Ｃなどのフォーマットが定義されている。ＤＣＩフォーマットによって情報フィールドの種類、情報フィールドの個数、各情報フィールドのビット数などが変わる。例えば、ＤＣＩフォーマットは用途によってホッピングフラグ（ｈｏｐｐｉｎｇ  ｆｌａｇ）、ＲＢ割当（ａｓｓｉｇｎｍｅｎｔ）、ＭＣＳ（ｍｏｄｕｌａｔｉｏｎ  ｃｏｄｉｎｇ  ｓｃｈｅｍｅ）、ＲＶ（ｒｅｄｕｎｄａｎｃｙ  ｖｅｒｓｉｏｎ）、ＮＤＩ（ｎｅｗ  ｄａｔａ  ｉｎｄｉｃａｔｏｒ）、ＴＰＣ（ｔｒａｎｓｍｉｔ  ｐｏｗｅｒ  ｃｏｎｔｒｏｌ）、ＨＡＲＱプロセス番号、ＰＭＩ（ｐｒｅｃｏｄｉｎｇ  ｍａｔｒｉｘ  ｉｎｄｉｃａｔｏｒ）確認（ｃｏｎｆｉｒｍａｔｉｏｎ）などの情報を選択的に含む。よって、ＤＣＩフォーマットによってＤＣＩフォーマットに整合する制御情報のサイズ（ｓｉｚｅ）が変わる。一方、任意のＤＣＩフォーマットは二種以上の制御情報の送信に使われることができる。例えば、ＤＣＩフォーマット０／１ＡはＤＣＩフォーマット０又はＤＣＩフォーマット１を搬送するのに使われ、これらはフラグフィールド（ｆｌａｇ  ｆｉｅｌｄ）によって区分される。
【００４５】
ＰＤＣＣＨはＤＬ−ＳＣＨ（ｄｏｗｎｌｉｎｋ  ｓｈａｒｅｄ  ｃｈａｎｎｅｌ）の送信フォーマット及びリソース割当、ＵＬ−ＳＣＨ（ｕｐｌｉｎｋ  ｓｈａｒｅｄ  ｃｈａｎｎｅｌ）に対するリソース割当情報、ＰＣＨ（ｐａｇｉｎｇ  ｃｈａｎｎｅｌ）に対するページング情報、ＤＬ−ＳＣＨ上のシステム情報（ｓｙｓｔｅｍ  ｉｎｆｏｒｍａｔｉｏｎ）、ＰＤＳＣＨ上で送信されるランダム接続応答のような上位階層制御メッセージのリソース割当情報、任意の端末グループ内で個別端末に対する送信電力制御命令、ＶｏＩＰ（ｖｏｉｃｅ  ｏｖｅｒ  ＩＰ）の活性化（ａｃｔｉｖａｔｉｏｎ）などを搬送する。制御領域内で複数のＰＤＣＣＨが送信されることができる。端末は複数のＰＤＣＣＨをモニタリングすることができる。ＰＤＣＣＨは一つ又は複数の連続したＣＣＥ（ｃｏｎｓｅｃｕｔｉｖｅ  ｃｏｎｔｒｏｌ  ｃｈａｎｎｅｌ  ｅｌｅｍｅｎｔ）のアグリゲーション（ａｇｇｒｅｇａｔｉｏｎ）上で送信される。ＣＣＥは無線チャネルの状態によって所定の符号化率（ｃｏｄｉｎｇ  ｒａｔｅ）のＰＤＣＣＨを提供するために使われる論理的割当単位である。ＣＣＥは複数のＲＥＧ（Ｒｅｓｏｕｒｃｅ  Ｅｌｅｍｅｎｔ  ｇｒｏｕｐ）に対応する。ＰＤＣＣＨのフォーマット及び可用のＰＤＣＣＨのビット数はＣＣＥの個数とＣＣＥによって提供される符号化率間の相関関係によって決定される。基地局は端末に送信されるＤＣＩによってＰＤＣＣＨフォーマットを決定し、ＣＲＣ（ｃｙｃｌｉｃ  ｒｅｄｕｎｄａｎｃｙ  ｃｈｅｃｋ）を制御情報に付け加える。ＣＲＣはＰＤＣＣＨの所有者又は使用用途によって唯一識別子（ＲＮＴＩ（ｒａｄｉｏ  ｎｅｔｗｏｒｋ  ｔｅｍｐｏｒａｒｙ  ｉｄｅｎｔｉｆｉｅｒ）と呼ばれる）によってマスキングされる。ＰＤＣＣＨが特定の端末のためのものであれば、該当端末の唯一識別子（例えば、Ｃ−ＲＮＴＩ（ｃｅｌｌ−ＲＮＴＩ））がＣＲＣにマスキングされる。他の例として、ＰＤＣＣＨがページングメッセージのためのものであれば、ページング指示識別子（例えば、Ｐ−ＲＮＴＩ（ｐａｇｉｎｇ−ＲＮＴＩ））がＣＲＣにマスキングされる。ＰＤＣＣＨがシステム情報（より具体的に、後述するＳＩＢ（ｓｙｓｔｅｍ  ｉｎｆｏｒｍａｔｉｏｎ  ｂｌｏｃｋ））に関するものであれば、システム情報識別子（例えば、ＳＩ−ＲＮＴＩ（ｓｙｓｔｅｍ  ｉｎｆｏｒｍａｔｉｏｎ  ＲＮＴＩ））がＣＲＣにマスキングされる。端末のランダム接続プリアンブルの送信に対する応答である、ランダム接続応答を指示するために、ＲＡ−ＲＮＴＩ（ｒａｎｄｏｍ  ａｃｃｅｓｓ−ＲＮＴＩ）がＣＲＣにマスキングされる。
【００４６】
ＰＤＣＣＨはＤＣＩ（Ｄｏｗｎｌｉｎｋ  Ｃｏｎｔｒｏｌ  Ｉｎｆｏｒｍａｔｉｏｎ）と知られたメッセージを運搬し、ＤＣＩは一つの端末又は端末グループのためのリソース割当及び他の制御情報を含む。一般に、複数のＰＤＣＣＨが一つのサブフレーム内で送信されることができる。それぞれのＰＤＣＣＨは一つ以上のＣＣＥ（Ｃｏｎｔｒｏｌ  Ｃｈａｎｎｅｌ  Ｅｌｅｍｅｎｔ）によって送信され、それぞれのＣＣＥは９セットの４個のリソース要素に対応する。４個のリソース要素はＲＥＧ（Ｒｅｓｏｕｒｃｅ  Ｅｌｅｍｅｎｔ  Ｇｒｏｕｐ）と呼ばれる。４個のＱＰＳＫシンボルが一ＲＥＧにマッピングされる。参照信号に割り当てられたリソース要素はＲＥＧに含まれなく、これによって与えられたＯＦＤＭシンボル内でＲＥＧの総数はセル特定（ｃｅｌｌ−ｓｐｅｃｉｆｉｃ）参照信号の存在有無によって変わる。ＲＥＧ概念（すなわち、グループ単位マッピング、各グループは４個のリソース要素を含む）は他の下りリンク制御チャネル（ＰＣＦＩＣＨ及びＰＨＩＣＨ）にも使われる。すなわち、ＲＥＧは制御領域の基本リソース単位として使われる。４個のＰＤＣＣＨフォーマットが表２に羅列したように支援される。
【００４７】
【表２】
2020039163.tif 000004
【００４８】
ＣＣＥは連続的に番号が付けられて使われ、デコーディングプロセスを単純化するために、ｎＣＣＥｓで構成されたフォーマットを有するＰＤＣＣＨはｎの倍数と同数を有するＣＣＥでのみ始まることができる。特定のＰＤＣＣＨの送信のために使われるＣＣＥの個数はチャネル条件によって基地局によって決定される。例えば、ＰＤＣＣＨが良い下りリンクチャネル（例えば、基地局に近い）を有する端末のためのものである場合、一つのＣＣＥでも十分であることがある。しかし、悪いチャネル（例えば、セル境界に近い）を有する端末の場合、十分なロバスト性（ｒｏｂｕｓｔｎｅｓｓ）を得るために８個のＣＣＥを使うことができる。また、ＰＤＣＣＨのパワーレベルがチャネル条件に合わせて調節されることができる。
【００４９】
ＬＴＥに導入された方案は、それぞれの端末のためにＰＤＣＣＨが位置することができる制限されたセットのＣＣＥ位置を定義することである。端末が自らのＰＤＣＣＨを捜すことができる制限されたセットのＣＣＥ位置は検索空間（Ｓｅａｒｃｈ  Ｓｐａｃｅ、ＳＳ）と呼ばれることができる。ＬＴＥにおいて、検索空間はそれぞれのＰＤＣＣＨフォーマットによって違うサイズを有する。また、ＵＥ特定（ＵＥ−ｓｐｅｃｉｆｉｃ）及び共通（ｃｏｍｍｏｎ）検索空間が別に定義される。ＵＥ特定検索空間（ＵＥ−Ｓｐｅｃｉｆｉｃ  Ｓｅａｒｃｈ  Ｓｐａｃｅ、ＵＳＳ）は各端末のために個別的に設定され、共通検索空間（Ｃｏｍｍｏｎ  Ｓｅａｒｃｈ  Ｓｐａｃｅ、ＣＳＳ）の範囲は全ての端末に知られる。ＵＥ特定及び共通検索空間は与えられた端末に対してオーバーラップすることができる。非常に小さな検索空間を有する場合、特定端末のための検索空間で一部ＣＣＥの位置が割り当てられた場合は残ったＣＣＥがないから、与えられたサブフレーム内で基地局は可能な全ての端末にＰＤＣＣＨを送信すべきＣＣＥリソースを捜すことができないことがある。このようなブロッキングが次のサブフレームに繋がる可能性を最小化するために、ＵＥ特定検索空間の開始位置に端末特定のホッピングシーケンスが適用される。
【００５０】
表３は共通及びＵＥ特定検索空間のサイズを示す。
【００５１】
【表３】
2020039163.tif 000005
【００５２】
ブラインドデコーディング（Ｂｌｉｎｄ  Ｄｅｃｏｄｉｎｇ、ＢＤ）の総回数による計算負荷を統制下に置くために端末は定義された全てのＤＣＩフォーマットを同時に検索するように要求されない。一般に、ＵＥ特定検索空間内で端末はいつもフォーマット０と１Ａを検索する。フォーマット０と１Ａは同じサイズを有し、メッセージ内のフラグによって区分される。また、端末は追加フォーマットを受信するように要求されることができる（例えば、基地局によって設定されたＰＤＳＣＨ送信モードによって１、１Ｂ又は２）。共通検索空間で端末はフォーマット１Ａ及び１Ｃを検索する。また、端末はフォーマット３又は３Ａを検索するように設定されることができる。フォーマット３及び３Ａはフォーマット０及び１Ａと同じサイズを有し、端末特定識別子よりは、互いに異なる（共通）識別子でＣＲＣをスクランブルすることによって区分されることができる。送信モードによるＰＤＳＣＨ送信技法と、ＤＣＩフォーマットの情報コンテンツを以下に羅列した。
【００５３】
送信モード（Ｔｒａｎｓｍｉｓｓｉｏｎ  Ｍｏｄｅ、ＴＭ）
【００５４】
●送信モード１：単一基地局アンテナポートからの送信
【００５５】
●送信モード２：送信ダイバーシティ
【００５６】
●送信モード３：開ループ空間多重化
【００５７】
●送信モード４：閉ループ空間多重化
【００５８】
●送信モード５：多重使用者ＭＩＭＯ
【００５９】
●送信モード６：閉ループランク−１プリコーディング
【００６０】
●送信モード７：単一アンテナポート（ポート５）送信
【００６１】
●送信モード８：二重レイヤー送信（ポート７及び８）又は単一アンテナポート（ポート７又は８）送信
【００６２】
●送信モード９：最大で８個のレイヤー送信（ポート７〜１４）又は単一アンテナポート（ポート７又は８）送信
【００６３】
ＤＣＩフォーマット
【００６４】
●フォーマット０：ＰＵＳＣＨ送信（上りリンク）のためのリソースグラント
【００６５】
●フォーマット１：単一コードワードＰＤＳＣＨ送信（送信モード１、２及び７）のためのリソース割当
【００６６】
●フォーマット１Ａ：単一コードワードＰＤＳＣＨ（全てのモード）のためのリソース割当の  コンパクトシグナリング
【００６７】
●フォーマット１Ｂ：ランク−１閉ループプリコーディングを用いるＰＤＳＣＨのためのコンパクトリソース割当（モード６）
【００６８】
●フォーマット１Ｃ：ＰＤＳＣＨ（例えば、ページング／ブロードキャストシステム情報）のための非常にコンパクトなリソース割当
【００６９】
●フォーマット１Ｄ：多重使用者ＭＩＭＯを用いるＰＤＳＣＨのためのコンパクトリソース割当（モード５）
【００７０】
●フォーマット２：閉ループＭＩＭＯ動作のＰＤＳＣＨのためのリソース割当（モード４）
【００７１】
●フォーマット２Ａ：開ループＭＩＭＯ動作のＰＤＳＣＨのためのリソース割当（モード３）
【００７２】
●フォーマット３／３Ａ：ＰＵＣＣＨ及びＰＵＳＣＨのために２ビット／１ビットパワー調整値を有するパワーコントロールコマンド
【００７３】
図５はＥＰＤＣＣＨを例示する。ＥＰＤＣＣＨはＬＴＥ−Ａで追加で導入されたチャネルである。
【００７４】
図５を参照すると、サブフレームの制御領域（図４参照）には既存ＬＴＥによるＰＤＣＣＨ（便宜上、Ｌｅｇａｃｙ  ＰＤＣＣＨ、Ｌ−ＰＤＣＣＨ）が割り当てられることができる。図面で、Ｌ−ＰＤＣＣＨ領域はＬ−ＰＤＣＣＨが割り当てられることができる領域を意味する。一方、データ領域（例えば、ＰＤＳＣＨのためのリソース領域）内にＰＤＣＣＨが追加で割り当てられることができる。データ領域に割り当てられたＰＤＣＣＨをＥＰＤＣＣＨと呼ぶ。図示のように、ＥＰＤＣＣＨを介して制御チャネルリソースを追加で確保することにより、Ｌ−ＰＤＣＣＨ領域の制限された制御チャネルリソースによるスケジューリング制約を緩和することができる。Ｌ−ＰＤＣＣＨと同様に、ＥＰＤＣＣＨはＤＣＩを運ぶ。例えば、ＥＰＤＣＣＨは下りリンクスケジューリング情報、上りリンクスケジューリング情報を運ぶことができる。例えば、端末はＥＰＤＣＣＨを受信し、ＥＰＤＣＣＨに対応するＰＤＳＣＨを介してデータ／制御情報を受信することができる。また、端末はＥＰＤＣＣＨを受信し、ＥＰＤＣＣＨに対応するＰＵＳＣＨを介してデータ／制御情報を送信することができる。セルタイプによって、ＥＰＤＣＣＨ／ＰＤＳＣＨはサブフレームの一番目ＯＦＤＭシンボルから割り当てられることができる。特に区別しない限り、本明細書でＰＤＣＣＨはＬ−ＰＤＣＣＨ及びＥＰＤＣＣＨの両者を含む。
【００７５】
図６はＬＴＥ（−Ａ）で使われる上りリンクサブフレームの構造を例示する。
【００７６】
図６を参照すると、サブフレーム５００は二つの０．５ｍｓスロット５０１で構成される。普通（Ｎｏｒｍａｌ）循環前置（Ｃｙｃｌｉｃ  Ｐｒｅｆｉｘ、ＣＰ）の長さを仮定すると、各スロットは７個のシンボル５０２で構成され、一つのシンボルは一つのＳＣ−ＦＤＭＡシンボルに対応する。リソースブロック（Ｒｅｓｏｕｒｃｅ  Ｂｌｏｃｋ、ＲＢ）５０３は周波数領域で１２個の副搬送波、そして時間領域で一スロットに相当するリソース割当単位である。ＬＴＥ（−Ａ）の上りリンクサブフレームの構造は大きくデータ領域５０４と制御領域５０５に区分される。データ領域は各端末に送信される音声、パケットなどのデータを送信するのに使われる通信リソースを意味し、ＰＵＳＣＨ（Ｐｈｙｓｉｃａｌ  Ｕｐｌｉｎｋ  Ｓｈａｒｅｄ  Ｃｈａｎｎｅｌ）を含む。制御領域は上りリンク制御信号、例えば各端末からの下りリンクチャネル品質報告、下りリンク信号に対する受信ＡＣＫ／ＮＡＣＫ、上りリンクスケジューリング要請などを送信するのに使われる通信リソースを意味し、ＰＵＣＣＨ（Ｐｈｙｓｉｃａｌ  Ｕｐｌｉｎｋ  Ｃｏｎｔｒｏｌ  Ｃｈａｎｎｅｌ）を含む。サウンディング参照信号（Ｓｏｕｎｄｉｎｇ  Ｒｅｆｅｒｅｎｃｅ  Ｓｉｇｎａｌ、ＳＲＳ）は一サブフレームにおいて時間軸上で最後に位置するＳＣ−ＦＤＭＡシンボルを介して送信される。同じサブフレームの最後のＳＣ−ＦＤＭＡに送信される多くの端末のＳＲＳは周波数位置／シーケンスによって区分することができる。ＳＲＳは上りリンクチャネル状態を基地局に送信するのに使われ、上位階層（例えば、ＲＲＣ階層）によって設定されたサブフレーム周期／オフセットによって周期的に送信されるとか、基地局の要請によって非周期的に送信される。
【００７７】
図７は上りリンク−下りリンクフレームタイミング関係を例示する。
【００７８】
図７を参照すると、上りリンク無線フレームｉの送信は該当下りリンク無線フレームより（ＮＴＡ＋ＮＴＡｏｆｆｓｅｔ）＊Ｔｓ秒以前に始まる。ＬＴＥシステムの場合、０≦ＮＴＡ≦２０５１２であり、ＦＤＤでＮＴＡｏｆｆｓｅｔ＝０であり、ＴＤＤでＮＴＡｏｆｆｓｅｔ＝６２４である。ＮＴＡｏｆｆｓｅｔ値は基地局と端末が前もって認知している値である。ランダム接続過程でタイミングアドバンス命令によってＮＴＡが指示されれば、端末はＵＬ信号（例えば、ＰＵＣＣＨ／ＰＵＳＣＨ／ＳＲＳ）の送信タイミングを前記数式によって調整する。ＵＬ送信タイミングは１６Ｔｓの倍数に設定される。タイミングアドバンス命令は現ＵＬタイミングを基準にＵＬタイミングの変化を指示する。ランダム接続応答内のタイミングアドバンス命令（ＴＡ）は１１ビットであり、ＴＡは０、１、２、…、１２８２の値を示し、タイミング調整値（ＮＴＡ）はＮＴＡ＝ＴＡ＊１６として与えられる。その他の場合、タイミングアドバンス命令（ＴＡ）は６ビットであり、ＴＡは０、１、２、…、６３の値を示し、タイミング調整値（ＮＴＡ）はＮＴＡ、ｎｅｗ＝ＮＴＡ、ｏｌｄ＋（ＴＡ−３１）＊１６として与えられる。サブフレームｎで受信されたタイミングアドバンス命令はサブフレームｎ＋６から適用される。ＦＤＤの場合、図示のように、ＵＬサブフレームｎの送信時点はＤＬサブフレームｎの開始時点を基準に繰り上げられる。一方、ＴＤＤの場合、ＵＬサブフレームｎの送信時点はＤＬサブフレームｎ＋１の終了時点を基準として繰り上げられる（図示せず）。
【００７９】
次に、ＨＡＲＱ（Ｈｙｂｒｉｄ  Ａｕｔｏｍａｔｉｃ  Ｒｅｐｅａｔ  ｒｅＱｕｅｓｔ）について説明する。無線通信システムで上りリンク／下りリンク送信すべきデータがある端末が多数存在するとき、基地局は送信単位時間（Ｔｒａｎｓｍｉｓｓｉｏｎ  Ｔｉｍｅ  Ｉｎｔｅｒｖａｌ：ＴＴＩ）（例えば、サブフレーム）ごとにデータを送信すべき端末を選択する。多重搬送波及びこれと類似して運営されるシステムにおいて基地局はＴＴＩごとに上りリンク／下りリンクでデータを送信すべき端末を選択し、該当端末がデータ送信のために使用する周波数帯域も一緒に選択する。
【００８０】
上りリンクを基準として説明すると、端末は上りリンクで参照信号（又はパイロット）を送信し、基地局は端末から送信された参照信号を用いて端末のチャネル状態を把握し、ＴＴＩごとにそれぞれの単位周波数帯域で上りリンクでデータを送信すべき端末を選択する。基地局はこのような結果を端末に知らせる。すなわち、基地局は特定ＴＴＩで上りリンクスケジューリングされた端末に特定周波数帯域を用いてデータを送れという上りリンク割当メッセージ（ａｓｓｉｇｎｍｅｎｔ  ｍｅｓｓａｇｅ）を送信する。上りリンク割当メッセージはＵＬグラント（ｇｒａｎｔ）とも呼ばれる。端末は上りリンク割当メッセージによってデータを上りリンクで送信する。上りリンク割当メッセージは端末ＩＤ（ＵＥ  Ｉｄｅｎｔｉｔｙ）、ＲＢ割当情報、ＭＣＳ（Ｍｏｄｕｌａｔｉｏｎ  ａｎｄ  Ｃｏｄｉｎｇ  Ｓｃｈｅｍｅ）、ＲＶ（Ｒｅｄｕｎｄａｎｃｙ  Ｖｅｒｓｉｏｎ）バージョン、新規データ指示子（Ｎｅｗ  Ｄａｔａ  ｉｎｄｉｃａｔｉｏｎ、ＮＤＩ）などを含むことができる。
【００８１】
同期非適応（Ｓｙｎｃｈｒｏｎｏｕｓ  ｎｏｎ−ａｄａｐｔｉｖｅ）ＨＡＲＱ方式の場合、再送信時間はシステム的に約束されている（例えば、ＮＡＣＫ受信時点から４サブフレーム後）。よって、基地局が端末に送信するＵＬグラントメッセージは初期送信時にだけ送ればよく、以後の再送信はＡＣＫ／ＮＡＣＫ信号（例えば、ＰＨＩＣＨ信号）によって行われる。一方、非同期適応（Ａｓｙｎｃｈｒｏｎｏｕｓ  ａｄａｐｔｉｖｅ）ＨＡＲＱ方式の場合、再送信時間が互いに約束されていないので、基地局が端末に再送信要請メッセージを送らなければならない。また、再送信のための周波数リソースやＭＣＳが送信時点ごとに変わるので、再送信要請メッセージは端末ＩＤ、ＲＢ割当情報、ＨＡＲＱプロセスＩＤ／番号、ＲＶ、ＮＤＩ情報を含むことができる。
【００８２】
図８はＬＴＥ（−Ａ）システムにおけるＵＬ  ＨＡＲＱ動作を例示する。ＬＴＥ（−Ａ）システムにおいてＵＬ  ＨＡＲＱ方式は同期非適応ＨＡＲＱを使う。８チャネルＨＡＲＱを使う場合、ＨＡＲＱプロセス番号は０〜７として与えられる。ＴＴＩ（例えば、サブフレーム）ごとに一つのＨＡＲＱプロセスが動作する。図８を参照すると、基地局１１０はＰＤＣＣＨを介してＵＬグラントを端末１２０に送信する（Ｓ６００）。端末１２０は、ＵＬグラントを受信した時点（例えば、サブフレーム０）から４サブフレーム後（例えば、サブフレーム４）にＵＬグラントによって指定されたＲＢ及びＭＣＳを用いて基地局１１０に上りリンクデータを送信する（Ｓ６０２）。基地局１１０は、端末１２０から受信した上りリンクデータを復号した後、ＡＣＫ／ＮＡＣＫを生成する。上りリンクデータに対する復号が失敗した場合、基地局１１０は端末１２０にＮＡＣＫを送信する（Ｓ６０４）。端末１２０は、ＮＡＣＫを受信した時点から４サブフレーム後に上りリンクデータを再送信する（Ｓ６０６）。上りリンクデータの初期送信と再送信は同じＨＡＲＱプロセッサが担当する（例えば、ＨＡＲＱプロセス４）。ＡＣＫ／ＮＡＣＫ情報はＰＨＩＣＨを介して送信されることができる。
【００８３】
図９はキャリアアグリゲーション（Ｃａｒｒｉｅｒ  Ａｇｇｒｅｇａｔｉｏｎ、ＣＡ）通信システムを例示する。
【００８４】
図９を参照すると、複数の上りリンク／下りリンクコンポーネントキャリア（Ｃｏｍｐｏｎｅｎｔ  Ｃａｒｒｉｅｒ、ＣＣ）を集めてもっと広い上りリンク／下りリンク帯域幅を支援することができる。それぞれのＣＣは周波数領域で互いに隣接するとか隣接していない。各コンポーネントキャリアの帯域幅は独立的に決定されることができる。ＵＬ  ＣＣの個数とＤＬ  ＣＣの個数が違う非対称キャリアアグリゲーションも可能である。一方、制御情報は特定ＣＣを介してのみ送受信されるように設定することができる。このような特定ＣＣをプライマリーＣＣと呼び、残りのＣＣをセカンダリーＣＣと呼ぶことができる。一例として、クロスキャリアスケジューリング（ｃｒｏｓｓ−ｃａｒｒｉｅｒ  ｓｃｈｅｄｕｌｉｎｇ）（又はクロスＣＣスケジューリング）が適用される場合、下りリンク割当のためのＰＤＣＣＨはＤＬ  ＣＣ＃０に送信され、該当ＰＤＳＣＨはＤＬ  ＣＣ＃２に送信されることができる。用語“コンポーネントキャリア”は等価の他の用語（例えば、キャリア、セルなど）に取り替えることができる。
【００８５】
クロスＣＣスケジューリングのために、ＣＩＦ（ｃａｒｒｉｅｒ  ｉｎｄｉｃａｔｏｒ  ｆｉｅｌｄ）が使われる。ＰＤＣＣＨ内にＣＩＦの存在又は不在のための設定が半静的に端末特定（又は端末グループ特定）に上位階層シグナリング（例えば、ＲＲＣシグナリング）によってイネーブル（ｅｎａｂｌｅ）されることができる。ＰＤＣＣＨ送信の基本事項は下記のように整理することができる。
【００８６】
■ＣＩＦディセーブルド（ｄｉｓａｂｌｅｄ）：ＤＬ  ＣＣ上のＰＤＣＣＨは同じＤＬ  ＣＣ上のＰＤＳＣＨリソース及び単一のリンクされたＵＬ  ＣＣ上でのＰＵＳＣＨリソースを割り当てる。
【００８７】
●Ｎｏ  ＣＩＦ
【００８８】
■ＣＩＦイネーブルド（ｅｎａｂｌｅｄ）：ＤＬ  ＣＣ上のＰＤＣＣＨはＣＩＦを用いて複数のアグリゲーションされたＤＬ／ＵＬ  ＣＣの一つのＤＬ／ＵＬ  ＣＣ上のＰＤＳＣＨ又はＰＵＳＣＨリソースを割り当てることができる。
【００８９】
●ＣＩＦを有するように拡張されたＬＴＥ  ＤＣＩフォーマット
【００９０】
−ＣＩＦ（設定される場合）は固定されたｘビットフィールド（例えば、ｘ＝３）
【００９１】
−ＣＩＦ（設定される場合）の位置はＤＣＩフォーマットサイズに関係なく固定される
【００９２】
ＣＩＦの存在時、基地局は、端末側でのＢＤ複雑度を低めるために、モニタリングＤＬ  ＣＣ（セット）を割り当てることができる。ＰＤＳＣＨ／ＰＵＳＣＨスケジューリングのために、端末は該当ＤＬ  ＣＣでのみＰＤＣＣＨの検出／デコーディングを行うことができる。また、基地局は、モニタリングＤＬ  ＣＣ（セット）を介してのみＰＤＣＣＨを送信することができる。モニタリングＤＬ  ＣＣセットは端末特定、端末グループ特定又はセル特定の方式でセットされることができる。
【００９３】
図１０は複数のキャリアがアグリゲーションされた場合のスケジューリングを例示する。３個のＤＬ  ＣＣがアグリゲーションされたと仮定する。ＤＬ  ＣＣ  ＡがＰＤＣＣＨ  ＣＣに設定されたと仮定する。ＤＬ  ＣＣ  Ａ〜ＣはサービングＣＣ、サービングキャリア、サービングセルなどと呼ばれることができる。ＣＩＦがディセーブルされれば、それぞれのＤＬ  ＣＣはＬＴＥ  ＰＤＣＣＨ規則によってＣＩＦなしに自らのＰＤＳＣＨをスケジューリングするＰＤＣＣＨのみを送信することができる（ノンクロスＣＣスケジューリング）。一方、端末特定（又は端末グループ特定又はセル特定）上位階層シグナリングによってＣＩＦがイネーブルされれば、特定ＣＣ（例えば、ＤＬ  ＣＣ  Ａ）はＣＩＦを用いてＤＬ  ＣＣ  ＡのＰＤＳＣＨをスケジューリングするＰＤＣＣＨだけでなく他のＣＣのＰＤＳＣＨをスケジューリングするＰＤＣＣＨも送信することができる（クロスＣＣスケジューリング）。一方、ＤＬ  ＣＣ  Ｂ／ＣではＰＤＣＣＨが送信されない。
【００９４】
より多い通信器機がもっと大きな通信容量を要求することになるにつれて次期の無線通信システムで制限された周波数帯域の効率的活用は段々重要な要求となっている。基本的に、周波数スペクトルは免許バンド（ｌｉｃｅｎｓｅｄ  ｂａｎｄ）と非免許バンド（ｕｎｌｉｃｅｎｓｅｄ  ｂａｎｄ）に分けられる。免許バンドは特定用途のために占有された周波数バンドを含む。例えば、免許バンドはセルラー通信（例えば、ＬＴＥ周波数バンド）のために政府が割り当てた周波数バンドを含む。非免許バンドは公共用途のために占有された周波数バンドであり、ライセンスフリーバンドとも呼ばれる。非免許バンドは、電波規制に対する条件を満たせば、許可又は申告なしに誰でも使うことができる。非免許バンドは他の無線局の通信を阻害しない出力範囲で特定区域又は建物内などの近距離で誰でも使う目的で分配又は指定されたものであり、無線リモコン、無線電力送信、無線ＬＡＮ（ＷｉＦｉ）などに多様に使われている。
【００９５】
ＬＴＥシステムのようなセルラー通信システムも既存のＷｉＦｉシステムが使用する非免許帯域（例えば、２．４ＧＨｚ、５ＧＨｚ帯域）をトラフィックオフローディングに活用する方案を検討している。基本的に、非免許帯域は各通信ノード間の競争によって無線送受信を行う方式を仮定するので、各通信ノードが信号を送信する前にチャネルセンシング（Ｃｈａｎｎｅｌ  Ｓｅｎｓｉｎｇ、ＣＳ）を行って、他の通信ノードが信号を送信しないことを確認することを要求している。これをＣＣＡ（Ｃｌｅａｒ  Ｃｈａｎｎｅｌ  Ａｓｓｅｓｓｍｅｎｔ）と呼び、ＬＴＥシステムの基地局又は端末も非免許帯域での信号送信のためにはＣＣＡを行わなければならないことがある。便宜上、ＬＴＥ−Ａシステムに使われる非免許帯域をＬＴＥ−Ｕバンド／帯域と呼ぶ。また、ＬＴＥ−Ａシステムの基地局又は端末が信号を送信するとき、ＷｉＦｉなどの他の通信ノードもＣＣＡを行って干渉を引き起こしてはいけない。例えば、ＷｉＦｉ標準（８０１．１１ａｃ）でＣＣＡ閾値はｎｏｎ−ＷｉＦｉ信号に対して−６２ｄＢｍ、ＷｉＦｉ信号に対して−８２ｄＢｍに規定されている。よって、ＷｉＦｉ以外の信号が−６２ｄＢｍ以上の電力で受信されれば、ＳＴＡ（Ｓｔａｔｉｏｎ）／ＡＰ（Ａｃｃｅｓｓ  Ｐｏｉｎｔ）は干渉を引き起こさないために信号送信を行わない。ＷｉＦｉシステムにおいて、ＳＴＡ／ＡＰはＣＣＡ閾値以上の信号を４ｕｓ以上検出しなければＣＣＡを行い、信号送信を行うことができる。
【００９６】
図１１は免許バンドと非免許バンドのキャリアアグリゲーションを例示する。図１１を参照すると、免許バンド（以下、ＬＴＥ−Ａバンド、Ｌ−バンド）と非免許バンド（以下、ＬＴＥ−Ｕバンド、Ｕバンド）のキャリアアグリゲーション状況の下で基地局が端末に信号を送信するとか端末が基地局に信号を送信することができる。ここで、免許帯域の中心搬送波又は周波数リソースはＰＣＣ又はＰＣｅｌｌと解釈され、非免許帯域の中心搬送波又は周波数リソースはＳＣＣ又はＳＣｅｌｌと解釈されることができる。
【００９７】
図１２及び図１３は非免許バンド内でリソースを占有する方法を例示する。ＬＴＥ−Ｕバンドで基地局と端末が通信を行うためには、ＬＴＥ−Ａと関係ない他の通信（例えば、ＷｉＦｉ）システムとの競争によって該当帯域を特定時間区間の間に占有／確保することができなければならない。便宜上、ＬＴＥ−Ｕバンドにおいてセルラー通信のために占有／確保された時間区間をＲＲＰ（Ｒｅｓｅｒｖｅｄ  Ｒｅｓｏｕｒｃｅ  Ｐｅｒｉｏｄ）と呼ぶ。ＲＲＰ区間を確保するために多くの方法が存在することができる。一例として、ＷｉＦｉなどの他の通信システム装置が無線チャネルがビジー（ｂｕｓｙ）であると認識することができるようにＲＲＰ区間内で特定占有信号を送信することができる。例えば、ＲＲＰ区間の間に特定電力レベル以上の信号が絶え間なく送信されるようにするために、基地局はＲＲＰ区間内でＲＳ及びデータ信号を持続的に送信することができる。基地局がＬＴＥ−Ｕバンド上で占有しようとするＲＲＰ区間を予め決定したならば、基地局は端末にこれを予め知らせることにより、端末にとって指示されたＲＲＰ区間の間に通信送／受信リンクを維持するようにすることができる。端末にＲＲＰ区間情報を知らせる方式としては、キャリアアグリゲーション形態で連結されている他のＣＣ（例えば、ＬＴＥ−Ａバンド）を介してＲＲＰ時間区間情報を伝達する方式が可能である。
【００９８】
一例として、Ｍ個の連続したＳＦで構成されたＲＲＰ区間を設定することができる。これとは違い、一つのＲＲＰ区間は不連続的に存在するＳＦセットに設定されることもできる（図示せず）。ここで、Ｍ値及びＭ個のＳＦ用途を前もって基地局が端末に上位階層（例えば、ＲＲＣ又はＭＡＣ）シグナリング（ｕｓｉｎｇ  ＰＣｅｌｌ）又は物理制御／データチャネルを介して知らせることができる。ＲＲＰ区間の開始時点は上位階層（例えば、ＲＲＣ又はＭＡＣ）シグナリングによって周期的に設定されることができる。また、ＲＲＰ開始地点をＳＦ＃ｎに設定しようとするとき、ＳＦ＃ｎで又はＳＦ＃（ｎ−ｋ）で物理階層シグナリング（例えば、（Ｅ）ＰＤＣＣＨ）を介してＲＲＰ区間の開始地点が指定されることができる。ｋは正の整数（例えば、４）である。
【００９９】
ＲＲＰはＳＦバウンダリー及びＳＦ番号／インデックスがＰＣｅｌｌと一致するように構成されるとか（以下、ａｌｉｇｎｅｄ−ＲＲＰ）（図１２）、ＳＦバウンダリー又はＳＦ番号／インデックスがＰＣｅｌｌと一致しない形態まで支援されるように構成されることができる（以下、フローティング（ｆｌｏａｔｉｎｇ）−ＲＲＰ）（図１３）。本発明において、セル間ＳＦバウンダリーが一致するとは、互いに異なる二つのセルのＳＦバウンダリー間の間隔が特定時間（例えば、ＣＰ長、あるいはＸ  ｕｓ（Ｘ≧０））以下であることを意味することができる。また、本発明において、ＰＣｅｌｌは時間（及び／又は周波数）同期観点でＵＣｅｌｌのＳＦ（及び／又はシンボル）バウンダリーを決定するために参照するセルを意味することができる。
【０１００】
競争に基づいた任意接続方式で動作する非免許帯域での他の動作例として、基地局はデータ送受信に先立ってキャリアセンシングを行うことができる。ＳＣｅｌｌの現在チャネル状態がアイドルであると判断されれば、基地局はＰＣｅｌｌ（ＬＴＥ−Ａバンド）又はＳＣｅｌｌ（ＬＴＥ−Ｕバンド）を介してスケジューリンググラント（例えば、（Ｅ）ＰＤＣＣＨ）を送信し、ＳＣｅｌｌ上でデータ送受信を試みることができる。便宜上、免許バンドで動作するサービングセル（例えば、ＰＣｅｌｌ、ＳＣｅｌｌ）をＬＣｅｌｌと定義し、ＬＣｅｌｌの中心周波数を（ＤＬ／ＵＬ）ＬＣＣと定義する。非免許バンドで動作するサービングセル（例えば、ＳＣｅｌｌ）をＵＣｅｌｌと定義し、ＵＣｅｌｌの中心周波数を（ＤＬ／ＵＬ）ＵＣＣと定義する。また、ＵＣｅｌｌが同一セルからスケジューリングされる場合とＵＣｅｌｌが他のセル（例えば、ＰＣｅｌｌ）からスケジューリングされる場合をそれぞれｓｅｌｆ−ＣＣスケジューリングとｃｒｏｓｓ−ＣＣスケジューリングと呼ぶ。
【０１０１】
実施例：ＬＴＥ  ＬＡＡ（Ｌｉｃｅｎｓｅｄ  Ａｓｓｉｓｔｅｄ  Ａｃｃｅｓｓ）における信号送受信
【０１０２】
既存ＬＴＥシステムにはそれぞれのＤＬ／ＵＬグラントＤＣＩが単一ＤＬ／ＵＬ  ＳＦを介して送信される一つのＤＬ／ＵＬデータチャネル（例えば、ＰＤＳＣＨ／ＰＵＳＣＨ）をスケジューリングするｓｉｎｇｌｅ−ＳＦスケジューリング方式が適用される。一方、ＬＴＥ−Ａ以後のシステムでは、データスケジューリングに伴うＤＣＩオーバーヘッドを減らすために、一つのＤＬ／ＵＬグラントＤＣＩが複数のＤＬ／ＵＬ  ＳＦを介して送信される複数のＤＬ／ＵＬデータチャネルを同時にスケジューリングするｍｕｌｔｉ−ＳＦスケジューリング方式の適用を考慮することができる。ｍｕｌｔｉ−ＳＦスケジューリング方式は非免許バンド（すなわち、Ｕバンド）上でのシステム動作（例えば、ＵＬスケジューリング）の観点で必要性及び利点がもっと目目立つことができる。これを簡単にまとめると次のようである。
【０１０３】
１）ＵＣｅｌｌに対するｓｅｌｆ−ＣＣスケジューリングの場合、柔軟なデュプレックシング動作及びＤＬ／ＵＬリソース構成のために、（基地局がＵＣｅｌｌに対してＣＣＡに基づいて）一度ＤＬ無線チャネルを獲得したときに複数のＵＬ  ＳＦをスケジューリングすることができることが有利であり得る。
【０１０４】
２）一つの端末の観点で（端末がＵＣｅｌｌに対してＣＣＡに基づいて）一度ＵＬ無線チャネルを獲得したときに複数のＵＬ  ＳＦを占有することができることが有利であり得る。すなわち、一つの端末に対して一つのＵＬグラントＤＣＩで複数の連続したＳＦをスケジューリングすることが有利であり得る。
【０１０５】
３）ｓｉｎｇｌｅ−ＳＦスケジューリング方式のみを仮定する場合、基地局が送信するＵＬグラントＤＣＩ個数に比べ、ＣＣＡに成功してＰＵＳＣＨを送信する端末個数が少ないことがあるので、ＵＣｅｌｌに対してＤＣＩオーバーヘッドを減らすことがもっと必要であることがある。
【０１０６】
４）ＵＣｅｌｌがＴＤＤ  ＬＣｅｌｌからｃｒｏｓｓ−ＣＣスケジューリングされるように設定された場合にＵＣｅｌｌリソースを全てＵＬ  ＳＦとして使うことができるようにするために、ｍｕｌｔｉ−ＳＦスケジューリング方式を適用することが利点を有することができる。
【０１０７】
一方、ＤＬ／ＵＬ  ＳＦが連続的に又は周期的に構成される既存ＬＣｅｌｌとは違い、ＵＣｅｌｌは基地局／端末のＣＣＡ結果によってＤＬ／ＵＬ  ＳＦが非周期的／機会的に構成される特性を有する。よって、ＵＣｅｌｌ  ＵＬに対しては、ＰＨＩＣＨに基づいた非適応的（ｎｏｎ−ａｄａｐｔｉｖｅ）自動再送信を支援する同期式（ｓｙｎｃｈｒｏｎｏｕｓ）ＨＡＲＱ方式ではなく、ＰＨＩＣＨの参照なしにＵＬグラントに基づいた適応的再送信のみを行う非同期式（ｓｙｎｃｈｒｏｎｏｕｓ）ＨＡＲＱ方式が適用されることができる。同期式ＨＡＲＱ方式では、特定（周期の）ＵＬ  ＳＦ集合が一つのＵＬ  ＨＡＲＱプロセスを構成し、ＲＶ（Ｒｅｄｕｎｄａｎｃｙ  Ｖｅｒｓｉｏｎ）も別途のシグナリングなしに（予め定義されたパターンを持って）ＳＦ番号によって自動で決定される。一方、非同期式ＨＡＲＱ方式では、既存ＬＣｅｌｌ  ＤＬでと同様に、ＵＬ  ＨＡＲＱプロセスＩＤ及びＲＶがＵＬグラントＤＣＩを介して直接シグナリングされることができる。
【０１０８】
以下、ＵＣｅｌｌ上のＵＬデータ送信に伴うスケジューリング（ＵＬグラント）ＤＣＩオーバーヘッドを減らすためのｍｕｌｔｉ−ＳＦスケジューリング方法を提案する。具体的に、本発明はｍｕｌｔｉ−ＳＦスケジューリングのためのＵＬグラントＤＣＩ内のコンテンツ構成及び該当ＤＣＩに対する送信／運用方法を提示し、非同期式ＨＡＲＱ動作を考慮して、既存ＬＣｅｌｌ  ＵＬに適用されるＵＬグラントＤＣＩに追加でＨＡＲＱ  ＩＤとＲＶを含ませることを考慮する。本発明はＵＣｅｌｌに対する非同期式ＨＡＲＱに基づいたＵＬデータスケジューリングだけでなく、（動作バンド区分なしにＬＣｅｌｌ／ＵＣｅｌｌを含めた）任意のセルに対する非同期式ＨＡＲＱに基づいたＤＬ／ＵＬデータスケジューリング及び同期式ＨＡＲＱに基づいたＵＬデータスケジューリングにも同様に適用されることができる。また、本発明はキャリアセンシングに基づいて非免許バンドで機会的に動作するＬＴＥ−Ｕシステム（又はＬＴＥ  ＬＡＡシステム）に適用されることができる。本発明は、免許バンド（すなわち、Ｌバンド）で動作するＰＣｅｌｌと非免許バンド（すなわち、Ｕバンド）で動作するＳＣｅｌｌ間のＣＡ状況を考慮することができる。
【０１０９】
表４は既存ＬＣｅｌｌ  ＵＬに適用されるＵＬグラントＤＣＩ（例えば、ＤＣＩフォーマット０）の例である。
【０１１０】
【表４】
2020039163.tif 000006
【０１１１】
フラグフィールドはフォーマット０とフォーマット１Ａの区別のための情報フィールドである。すなわち、ＤＣＩフォーマット０と１Ａは同じペイロードサイズを有し、フラグフィールドによって区分される。リソースブロック割当及びホッピングリソース割当フィールドはホッピングＰＵＳＣＨ又はノンホッピング（ｎｏｎ−ｈｏｐｐｐｉｎｇ）ＰＵＳＣＨによってフィールドのビットサイズが変わることができる。ノンホッピングＰＵＳＣＨのためのリソースブロック割当及びホッピングリソース割当フィールドは
2020039163.tif 000007
ビットを上りリンクサブフレーム内の一番目スロットのリソース割当に提供する。ＮＵＬＲＢは上りリンクスロットに含まれるリソースブロックの数であり、セルで設定された上りリンク伝送帯域幅に従属する。よって、ＤＣＩフォーマット０のペイロードサイズは上りリンク帯域幅によって変わることができる。ＤＣＩフォーマット１ＡはＰＤＳＣＨ割当のための情報フィールドを含み、ＤＣＩフォーマット１Ａのペイロードサイズも下りリンク帯域幅によって変わることができる。ＤＣＩフォーマット１ＡはＤＣＩフォーマット０に対して基準情報ビットサイズを提供する。よって、ＤＣＩフォーマット０の情報ビットの数がＤＣＩフォーマット１Ａの情報ビットの数より少ない場合、ＤＣＩフォーマット０のペイロードサイズがＤＣＩフォーマット１Ａのペイロードサイズと同一になるまでＤＣＩフォーマット０に‘０’が付加される。付加された‘０’はＤＣＩフォーマットのパッディングフィールド（ｐａｄｄｉｎｇ  ｆｉｅｌｄ）に満たされる。
【０１１２】
便宜上、まずＵＬデータ送信のためのＤＣＩコンテンツを下記のように定義する。
【０１１３】
１）ＲＡ（Ｒｅｓｏｕｒｃｅ  Ａｌｌｏｃａｔｉｏｎ）：データ（例えば、ＵＬ−ＳＣＨ送信ブロック）送信に使われるリソース（例えば、ＲＢ）割当情報（例えば、Ｎビット）
【０１１４】
２）ＭＣＳ：データ送信に使われる変調／符号方式（例えば、５ビット）
【０１１５】
３）ＤＭＲＳ  ＣＳ：ＵＬデータチャネル（例えば、ＰＵＳＣＨ）のＤＭＲＳのためのＣＳ及びＯＣＣ（ｏｒｔｈｏｇｏｎａｌ  ｃｏｖｅｒ  ｃｏｄｅ）情報（例えば、３ビット）
【０１１６】
４）ＴＰＣ：ＵＬデータチャネル（例えば、ＰＵＳＣＨ）送信に付加される電力情報（例えば、２ビット）
【０１１７】
５）ＣＳＩ（Ｃｈａｎｎｅｌ  Ｓｔａｔｅ  Ｉｎｆｏｒｍａｔｉｏｎ）要請（ｒｅｑｕｅｓｔ）：非周期的ＣＳＩフィードバック送信であるかを指示（例えば、１〜３ビット）
【０１１８】
６）ＳＲＳ要請：非周期的ＳＲＳ信号送信であるかを指示（例えば、１ビット）
【０１１９】
７）ＮＤＩ：新しいデータの送信であるか以前に受信されたデータに対する再送信であるかを指示（例えば、１ビット）
【０１２０】
８）ＨＡＲＱ  ＩＤ：データ送信に対応するＨＡＲＱプロセスＩＤ／番号（例えば、３〜４ビット）
【０１２１】
９）ＲＶ：データ送信に使われるリダンダンシーバージョン情報（例えば、２ビット）
【０１２２】
１０）ＤＡＩ（Ｄｏｗｎｌｉｎｋ  Ａｓｓｉｇｎｍｅｎｔ  Ｉｎｄｅｘ）：単一ＵＬ  ＳＦにリンクされた複数のＤＬ  ＳＦ（便宜上、バンドリングウィンドウ）を介してスケジューリングされた全てのＰＤＳＣＨ（又は、ＰＤＣＣＨ）の個数を指示（例えば、２ビット）
【０１２３】
以下の説明で、ｍｕｌｔｉ−ＳＦは文脈によってｍｕｌｔｉ−ＳＦスケジューリングが可能な最大サブフレーム区間を意味するとか、ｍｕｌｔｉ−ＳＦスケジューリングが行われる最大サブフレーム区間内で実際にｍｕｌｔｉ−ＳＦスケジューリングが適用されるサブフレーム区間を意味することができる。特に区別しない限り、ｍｕｌｔｉ−ＳＦは実際にｍｕｌｔｉ−ＳＦスケジューリングが適用されるサブフレーム区間を意味することができる。ｍｕｌｔｉ−ＳＦは連続したＳＦであってもよい。
【０１２４】
（１）Ｍｅｔｈｏｄ１
【０１２５】
ｍｕｌｔｉ−ＳＦスケジューリング（ＵＬグラント）ＤＣＩ設計のために、ＤＣＩコンテンツを３種のコンテンツタイプに分類することができる。また、ｍｕｌｔｉ−ＳＦグラントＤＣＩ内に該当ＤＣＩによるスケジューリングが適用されるＳＦ個数／区間を指示する情報（以下、Ｎｓｆ）を追加でシグナリングすることができる。
【０１２６】
１）コンテンツタイプ１：ｍｕｌｔｉ−ＳＦに共通的に（同一に）適用される情報
【０１２７】
Ａ．ｍｕｌｔｉ−ＳＦグラントＤＣＩ内に一つの値のみがシグナリングされ、一つの該当値がｍｕｌｔｉ−ＳＦの全てに同一に適用される
【０１２８】
Ｂ．例えば、ＲＡ（Ｎビット）、ＭＣＳ（５ビット）、ＤＭＲＳ  ＣＳ（３ビット）、ＴＰＣ（２ビット）など
【０１２９】
２）コンテンツタイプ２：ｍｕｌｔｉ−ＳＦに属する一つの特定ＳＦにだけ（一度）適用される情報
【０１３０】
Ａ．ｍｕｌｔｉ−ＳＦグラントＤＣＩ内に一つの値のみがシグナリングされ、該当値はｍｕｌｔｉ−ＳＦに属する一つの特定ＳＦにだけ適用される
【０１３１】
Ｂ．例えば、ＣＳＩ要請（２ビット）、ＳＲＳ要請（１ビット）、ＤＡＩ（２ビット）など
【０１３２】
ＣＳＩ／ＳＲＳが一つの特定ＳＦでのみ送信される場合、該当ＳＦでＣＣＡが失敗すれば、端末はＣＳＩ／ＳＲＳ送信機会を失うことになる。よって、ｍｕｌｔｉ−ＳＦのそれぞれのＳＦでＣＳＩ／ＳＲＳを送信する方案も考慮することができる。しかし、ｍｕｌｔｉ−ＳＦのそれぞれのＳＦでＣＳＩ／ＳＲＳを送信する場合、複数のＳＲＳ送信が必要でないにもかかわらず、端末はｍｕｌｔｉ−ＳＦの毎ＳＦでＳＲＳ送信動作を行うので、ＵＬリソースが浪費されることがある。一方、ＣＳＩ／ＳＲＳが特定ＳＦでのみ送信される場合、該当ＳＦでＣＣＡ失敗によってＣＳＩ／ＳＲＳ送信が失敗しても、基地局は端末にＣＳＩ／ＳＲＳ送信を再要請することができるので、ｍｕｌｔｉ−ＳＦに属する一つの特定ＳＦでのみＣＳＩ／ＳＲＳを送信することが好ましい。
【０１３３】
３）コンテンツタイプ３：ｍｕｌｔｉ−ＳＦに属するそれぞれのＳＦに個別的に適用される情報
【０１３４】
Ａ．ｍｕｌｔｉ−ＳＦグラントＤＣＩ内にスケジューリング対象ＳＦの個数だけシグナリングされ、ｍｕｌｔｉ−ＳＦに属するそれぞれのＳＦに個別的に適用される
【０１３５】
Ｂ．例えば、ＮＤＩ（１ビット）、ＲＶ（２ビット）、ＨＡＲＱプロセスＩＤ（３ビット）など
【０１３６】
一方、ｍｕｌｔｉ−ＳＦグラントＤＣＩは、スケジューリング対象ＳＦ個数／区間（すなわち、Ｎｓｆ値）にかかわらず、一つの同じサイズを有するように構成されることができる。すなわち、ｍｕｌｔｉ−ＳＦグラントＤＣＩは全てのＮｓｆ値に対して同じサイズを有するように構成されることができる。一例として、最小Ｎｓｆ値（例えば、１）が適用されるときのＤＣＩコンテンツ構成を基準としてｍｕｌｔｉ−ＳＦグラントＤＣＩサイズが設定されることができる。このような条件の下で、（１）ｍｕｌｔｉ−ＳＦグラントＤＣＩ内でコンテンツタイプ３に対応するフィールドの個数／サイズはＮｓｆ値に比例的に割り当てられることができ（すなわち、Ｎｓｆ値が大きくなるほど該当フィールド数／サイズが増加）、（２）ｍｕｌｔｉ−ＳＦグラントＤＣＩ内でコンテンツタイプ１／２に対応するフィールドのサイズはＮｓｆ値が大きくなるほど減少するとか該当フィールドそのものが省略されることができる。言い換えれば、（固定サイズを有するｍｕｌｔｉ−ＳＦグラントＤＣＩ内で）Ｎｓｆ値が大きくなるほどコンテンツタイプ３（例えば、ＮＤＩ、ＲＶ、ＨＡＲＱ  ＩＤ）に対応するフィールドの個数／サイズは増加する反面、コンテンツタイプ１／２（例えば、ＲＡ、ＭＣＳ、ＤＭＲＳ  ＣＳ、ＴＰＣ、ＣＳＩ要請、ＳＲＳ要請）に対応するフィールドのサイズは減少するとか該当フィールドが省略されることができる。これに基づき、Ｎｓｆ値によってコンテンツタイプ１／２値のグラヌリティ（ｇｒａｎｕｌｉｔｙ）（情報単位のサイズ）／種類数及び／又は対応するフィールドの有無が変わることができる（Ａｐｐｒｏａｃｈ１）。
【０１３７】
前記過程の一例として、ＣＳＩ要請とＨＡＲＱ  ＩＤのフィールドサイズをそれぞれ２ビットと３ビットと仮定し、Ｎｓｆ＝１の場合を基準としてｍｕｌｔｉ−ＳＦグラントＤＣＩサイズを（Ｎ＋１９）ビットに設定した状況を考慮することができる。この場合、コンテンツタイプ３はＮＤＩ（１）＋ＲＶ（２）＋ＨＡＲＱ  ＩＤ（３）＝６ビットが割り当てられることができる。括弧内の数字はビット数を意味する。このような状況で、Ｎｓｆ＝２の場合、コンテンツタイプ３はＮＤＩ（２）＋ＲＶ（４）＋ＨＡＲＱ  ＩＤ（５＝ｃｅｉｌｉｎｇ（ｌｏｇ２（８Ｃ２）））＝１１ビットが割り当てられることができる。ここで、ＨＡＲＱ  ＩＤフィールドには全部でＮ＝８個のＨＡＲＱ  ＩＤのうちＮｓｆ＝２を選択する種類数を表現することができる最小ビット数が割り当てられることができる。Ｎｓｆ＝２の場合のコンテンツタイプ３フィールドサイズはＮｓｆ＝１の場合より５ビットが増加するので、Ｎｓｆ＝１の場合のコンテンツタイプ１／２＝ＲＡ（Ｎ）＋ＭＣＳ（５）＋ＤＭＲＳ  ＣＳ（３）＋ＴＰＣ（２）＋ＣＳＩ要請（２）＋ＳＲＳ要請（１）＝（Ｎ＋１３）ビットから５ビットを差し引いた（Ｎ＋８）ビットをＮｓｆ＝２の場合のコンテンツタイプ１／２フィールドサイズに割り当てることができる。例えば、ＲＡ（Ｎ−２）＋ＭＣＳ（５−１）＋ＤＭＲＳ  ＣＳ（３−１）＋ＴＰＣ（２）＋ＣＳＩ要請（２−１）＋ＳＲＳ要請（１）＝（Ｎ＋８）ビットでＮｓｆ＝２の場合のコンテンツタイプ１／２フィールドを構成することができる。この場合、ＲＡのグラヌリティが大きくなるとか（ｃｏａｒｓｅ）（例えば、ＲＢグループのサイズが大きくなる）、ＭＣＳ及びＤＭＲＳ  ＣＳ値の種類数が減ることができる。ＣＳＩ要請の場合、ＣＳＩフィードバック要請対象として指示可能なＤＬセル組合せの数が減少することができる。
【０１３８】
追加的に、前記のような状況で、Ｎｓｆ＝４の場合、コンテンツタイプ３はＮＤＩ（４）＋ＲＶ（８）＋ＨＡＲＱ  ＩＤ（７＝ｃｅｉｌｉｎｇ（ｌｏｇ２（８Ｃ４）））＝１９ビットが割り当てられることができる。Ｎｓｆ＝４の場合のコンテンツタイプ３フィールドサイズはＮｓｆ＝１の場合より１３ビットが増加するので、Ｎｓｆ＝１の場合のコンテンツタイプ１／２フィールドサイズ（Ｎ＋１３）ビットから１３ビットを差し引いたＮビットをＮｓｆ＝４の場合のコンテンツタイプ１／２フィールドサイズに割り当てることができる。例えば、ＲＡ（Ｎ−６）＋ＭＣＳ（５−２）＋ＤＭＲＳ  ＣＳ（３−２）＋ＴＰＣ（２）＋ＣＳＩ要請（２−２）＋ＳＲＳ要請（１−１）＝ＮビットでＮｓｆ＝２の場合のコンテンツタイプ１／２フィールドを構成することができる。この場合、ＲＡのグラヌリティが（Ｎｓｆ＝２の場合よりもっと）大きくなるとか、ＭＣＳ及びＤＭＲＳ  ＣＳ値の種類数が（Ｎｓｆ＝２の場合よりもっと）減ることができる。また、ＣＳＩ要請及びＳＲＳ要請の場合にはフィールドが省略されるので、Ｎｓｆ＝４のｍｕｌｔｉ−ＳＦグラントＤＣＩを介しては非周期的ＣＳＩ／ＳＲＳ送信要請が許容されないこともある。
【０１３９】
前記と違う方法として、最大Ｎｓｆ値（Ｎｓｆ＿ｍａｘ）（例えば、４又は８）が適用されるときのＤＣＩコンテンツ構成を基準としてｍｕｌｔｉ−ＳＦグラントＤＣＩサイズを設定し、（最大値より小さい）他のＮｓｆ値が適用される場合には、ｍｕｌｔｉ−ＳＦグラントＤＣＩ内にＤＣＩコンテンツを構成してから残った部分を特定ビット（例えば、０）にパッディングする方式でＤＣＩサイズを全てのＮｓｆ値に対して同一に設定することができる（Ａｐｐｒｏａｃｈ２）。すなわち、ＤＣＩサイズはＮｓｆ＿ｍａｘに合わせて構成され、（Ｎｓｆ＿ｍａｘより小さい）他のＮｓｆ値が適用されれば、ＤＣＩ内でＮｓｆ値に対応する情報のみ使われる。ｍｕｌｔｉ−ＳＦが連続したＳＦの場合を考慮すると、Ｎｓｆ＿ｍａｘに合わせてｍｕｌｔｉ−ＳＦグラントＤＣＩサイズを設定することはリソースの浪費であり得るが、Ｎｓｆ値に無関係に各ＤＣＩコンテンツのサイズを一定に維持することによって基地局と端末間のＤＣＩコンテンツサイズの不一致を防止することができる。また、Ｎｓｆ値に関係なくＤＣＩコンテンツサイズを一定に維持する場合、前記コンテンツタイプ１／２値のグラヌリティ（ｇｒａｎｕｌｉｔｙ）（情報単位の大きさ）／種類数及び／又は対応するフィールドの有無が全ての可能なＮｓｆ値に対して同一に維持されるので、Ｎｓｆ値によるスケジューリング制約／非効率性を防止することができる。前記のような状況を仮定すると、例えば全てのＮｓｆ値に対してコンテンツタイプ１／２はＲＡ（Ｎ）＋ＭＣＳ（５）＋ＤＭＲＳ  ＣＳ（３）＋ＴＰＣ（２）＋ＣＳＩ要請（２）＋ＳＲＳ要請（１）＝（Ｎ＋１３）ビットが同一に割り当てられ、最大値であるＮｓｆ＝４の場合のコンテンツタイプ３はＮＤＩ（４）＋ＲＶ（８）＋ＨＡＲＱ  ＩＤ（７＝ｃｅｉｌｉｎｇ（ｌｏｇ２（８Ｃ４）））＝１９ビットとなることができる。これを基準として、ｍｕｌｔｉ−ＳＦグラントＤＣＩサイズは（Ｎ＋３２＝Ｎ＋１３＋１９）ビットに設定されることができる。このような状況で、Ｎｓｆ＝２の場合、コンテンツタイプ３フィールドサイズはＮｓｆ＝４の場合より８ビットが減少した１１ビットが割り当てられることができ、ｍｕｌｔｉ−ＳＦグラントＤＣＩ内の該当８ビットはゼロにパッディングされることができる。すなわち、ＤＣＩサイズはＮｓｆ＿ｍａｘのときのコンテンツタイプ３フィールドのサイズに基づいて決定され、（Ｎｓｆ＿ｍａｘより小さい）他のＮｓｆ値が適用される場合には、ＤＣＩ内でＮｓｆに対応するサイズのコンテンツタイプ３情報が使われる。また、Ｎｓｆ＝１の場合のコンテンツタイプ３フィールドサイズはＮｓｆ＝４の場合より１３ビットが減少した６ビットが割り当てられることができ、ｍｕｌｔｉ−ＳＦグラントＤＣＩ内の該当１３ビットはゼロにパッディングされることができる。
【０１４０】
Ａｐｐｒｏａｃｈ２の他の方法として、最大Ｎｓｆ値を基準としてＤＣＩサイズを設定し、最大Ｎｓｆ値に対応するＤＣＩコンテンツを構成した状態で（例えば、Ｎｓｆ個のＳＦのそれぞれに個別的にコンテンツタイプ３に対応する情報フィールドが構成されて総Ｎｓｆ個のコンテンツタイプ３情報フィールドが構成される）、コンテンツタイプ３情報を複数のＳＦに対して同一に設定することができる。これにより、Ｎｓｆを黙示的に（ｉｍｐｌｉｃｉｔ）知らせることにより、ｍｕｌｔｉ−ＳＦグラントＤＣＩ内にＮｓｆを別にシグナリングしなくても、最大値より小さなＮｓｆ値に対応するｍｕｌｔｉ−ＳＦスケジューリングを適用することができる。すなわち、端末はコンテンツタイプ３情報が同一に設定されたＳＦの個数に基づいてｍｕｌｔｉ−ＳＦスケジューリングが適用されるＳＦ個数／区間に決定することができる。
【０１４１】
一例として、Ｎ（＞１）個のＳＦに対してコンテンツタイプ３情報の全て又は特定の一部（例えば、少なくともＨＡＲＱ  ＩＤを含む）が同一に設定された場合、該当のＮ個ＳＦのうち一つの特定（例えば、最初）ＳＦに対してだけ該当コンテンツタイプ３情報に基づいたＰＵＳＣＨ送信を行い、残りの（Ｎ−１）個のＳＦに対してはＰＵＳＣＨ送信を省略することができる。追加的な例として、Ｎ個のＳＦに対してＮＤＩが相異なる値に設定されるとともに該当ＮＤＩを除いた残りのコンテンツタイプ３情報の全て又は特定の一部（例えば、少なくともＨＡＲＱ  ＩＤを含む）に対しては同一の値が設定された場合、Ｎ個の該当ＳＦのうち一つの特定（例えば、最初）ＳＦに対してだけ該当コンテンツタイプ３情報に基づいたＰＵＳＣＨ送信を行い、残りの（Ｎ−１）個のＳＦに対してはＰＵＳＣＨ送信を省略することができる。
【０１４２】
他の例として、ＭＣＳがコンテンツタイプ３として設定／構成される場合には、特定ＭＣＳ値又は特定ＭＣＳ値と特定ＲＶ値の組合せに対応するＳＦを介してはＰＵＳＣＨ送信を省略することができる。追加的な例として、ＭＣＳとＲＡが全てコンテンツタイプ３として設定／構成される場合には、特定ＭＣＳ値と特定ＲＡ（例えば、特定ＲＢ（Ｇ）の個数及び／又は特定ＲＢ（Ｇ）インデックス）の組合せ又は特定ＭＣＳ値と特定ＲＡと特定ＲＶ値の組合せに対応するＳＦを介してＰＵＳＣＨ送信を省略することができる。
【０１４３】
さらに他の方法として、特定Ｎｓｆ値が適用されるときのＤＣＩコンテンツ構成を基準としてｍｕｌｔｉ−ＳＦグラントＤＣＩサイズを設定し、Ｎｓｆ値が特定Ｎｓｆ値より大きな場合にはＡｐｐｒｏａｃｈ１を適用し、Ｎｓｆ値が特定Ｎｓｆ値よい小さな場合にはＡｐｐｒｏａｃｈ２を適用することができる（Ａｐｐｒｏａｃｈ３）。さらに他の方法として、（Ａｐｐｒｏａｃｈ１による）ＤＣＩ減少（ｒｅｄｕｃｔｉｏｎ）又は（Ａｐｐｒｏａｃｈ２による）ビットパッディングなしに各Ｎｓｆ値別に（相異なるサイズを有する）ｍｕｌｔｉ−ＳＦグラントＤＣＩを構成した状態で、ｍｕｌｔｉ−ＳＦグラントＤＣＩに対するＢＤ（ｂｌｉｎｄ  ｄｅｃｏｄｉｎｇ）のための（Ｅ）ＰＤＣＣＨＳＳ（ｓｅａｒｃｈ  ｓｐａｃｅ）をＮｓｆ値別に違うように割り当てることができる。この場合、Ｎｓｆ値に対する別途のＤＣＩシグナリングなしに端末はｍｕｌｔｉ−ＳＦグラントＤＣＩが検出されたＳＳリソース／領域にリンク／設定されたＮｓｆ値を該当ＤＣＩに基づいたｍｕｌｔｉ−ＳＦスケジューリングが適用されるＳＦの個数／区間と決定することができる。さらに他の方法として、全てのＮｓｆ値を複数のセットに分け、各Ｎｓｆ値セット別にＡｐｐｒｏａｃｈ１／２／３を適用して（相異なるサイズを有する）ｍｕｌｔｉ−ＳＦグラントＤＣＩを構成した状態で、ｍｕｌｔｉ−ＳＦグラントＤＣＩのＢＤのためのＳＳをＮｓｆ値セット別に違うように割り当てることができる。一例として、Ｎｓｆ＝１に相当する既存ｓｉｎｇｌｅ−ＳＦグラントＤＣＩと（これと違うサイズを有する）Ｎｓｆ＞１に相当する（Ａｐｐｒｏａｃｈ１／２／３を適用した）ｍｕｌｔｉ−ＳＦグラントＤＣＩを構成した状態で、ｓｉｎｇｌｅ−ＳＦグラントＤＣＩとｍｕｌｔｉ−ＳＦグラントＤＣＩのＢＤのためのＳＳを互いに異なるように割り当てることができる。
【０１４４】
追加的に、互いに異なる端末のＰＵＳＣＨ送信間ＴＤＭ及び一つの端末の（相異なるＲＢ及び／又はＭＣＳ及び／又はＴＢＳ（Ｔｒａｎｓｐｏｒｔ  Ｂｌｏｃｋ  Ｓｉｚｅ）に基づいた）ＰＵＳＣＨ送信間ＴＤＭなどを支援するために、（ｉ）ｍｕｌｔｉ−ＳＦスケジューリングが適用される最初ＳＦ、又は（ｉｉ）スケジューリング対象ｍｕｌｔｉ−ＳＦに属する最初ＳＦ（すなわち、ｍｕｌｔｉ−ＳＦ内でスケジューリングが適用される最初ＳＦ）についての情報がｍｕｌｔｉ−ＳＦグラントＤＣＩを介してシグナリングされることができる（以下、（ｉ）〜（ｉｉ）をｆｉｒｓｔ−ＳＦと通称する）。もしくは、（ｆｉｒｓｔ−ＳＦに対する別途のＤＣＩシグナリングなしに）予め指定された各ｆｉｒｓｔ−ＳＦ別にｍｕｌｔｉ−ＳＦグラントＤＣＩを構成した状態で、ｍｕｌｔｉ−ＳＦグラントＤＣＩに対するＢＤのためのＳＳをｆｉｒｓｔ−ＳＦ別に違うように割り当てることができる。すなわち、端末はＤＣＩが検出されたＳＳリソース／領域にリンク／設定されたｆｉｒｓｔ−ＳＦを該当ＤＣＩに基づいたスケジューリングが適用されるｍｕｌｔｉ−ＳＦの最初ＳＦとして決定することができる。また、互いに異なるｆｉｒｓｔ−ＳＦに対応する複数のｍｕｌｔｉ−ＳＦグラントＤＣＩが一つのＤＬ  ＳＦを介して同時送信／検出可能となるように設定されることができる。
【０１４５】
一方、ＲＡをコンテンツタイプ３として考慮する場合、ＤＣＩ内のＲＡフィールド（サイズ）はシステムＢＷ（ｂａｎｄｗｉｄｔｈ）をＮｓｆ値だけ確張したサイズのＢＷに対するリソース割当情報を含む形態に構成／割り当てられることができる。一例として、システムＢＷがＮのＲＢであるとともにＮｓｆ＝Ｋの場合、総Ｋ＊Ｎ個のＲＢに相当する拡張したＢＷに対するリソース割当情報を含むＲＡフィールド（サイズ）がｍｕｌｔｉ−ＳＦグラントＤＣＩ内に構成／割当されることができる。具体的な一例として、該当ＲＡフィールド上で（ｋ−１）＊Ｎ＋１番目ＲＢからｋ＊Ｎ番目ＲＢまでのＲＢ区間内に割り当てられたリソースが、スケジューリングされたｍｕｌｔｉ−ＳＦ内のｋ番目ＳＦに割り当てられるＰＵＳＣＨリソースとして決定されることができる。このようにすることにより、Ｎ個のＲＢに相当するＢＷについてのリソース割当情報を含むＲＡフィールド（サイズ）がＫ個構成／割当される場合に比べてＲＡフィールドサイズを減らすことができる。また、ＭＣＳをコンテンツタイプ３と考慮する場合（全てのｍｕｌｔｉ−ＳＦ内で）ｆｉｒｓｔ−ＳＦにだけ元のグラヌリティのＭＣＳインデックスを割り当て、残りのＳＦに対してはｆｉｒｓｔ−ＳＦに割り当てられたＭＣＳ情報にインデックスオフセットを適用する方式でＤＣＩ内のフィールド（サイズ）を構成／割当することができる。一例として、元のＭＣＳがＮビットで構成されるとともにＮｓｆ＝Ｋの場合、一つのｆｉｒｓｔ−ＳＦにだけＮビットＭＣＳインデックスが割り当てられ、残りの（Ｋ−１）個のＳＦに対してはＬビットインデックスオフセット（Ｌ＜Ｎ）が割り当てられる方式でＭＣＳフィールド（サイズ）がｍｕｌｔｉ−ＳＦグラントＤＣＩ内に構成／割当されることができる。残りの（Ｋ−１）個のＳＦに対して適用されるＭＣＳインデックスは該当ＮビットＭＣＳインデックスにＬビットインデックスオフセット（Ｌ＜Ｎ）を適用することによって得られる。
【０１４６】
さらに他の方案として、ｍｕｌｔｉ−ＳＦスケジューリング方式によって（以前に受信されたデータに対する再送信ではない）新しいデータの送信に対するスケジューリングのみを行う方案を考慮することができる。再送信は既存ｓｉｎｇｌｅ−ＳＦスケジューリング方式で行うことができる。この場合、ｍｕｌｔｉ−ＳＦグラントＤＣＩにおいて、ＮＤＩはＳＦ別に個別的に構成／指示される反面、ＲＶはフィールド構成（これによるシグナリング）そのものが省略されることができる。これにより、ｍｕｌｔｉ−ＳＦグラントＤＣＩに基づいたスケジューリングの場合には、予め設定された特定ＲＶ値（例えば、初期値０）が適用されることができる。追加として、ＮＤＩをコンテンツタイプ１と考慮してｍｕｌｔｉ−ＳＦの全てに一つの同じＮＤＩ値を指示／適用することも可能である。
【０１４７】
（２）Ｍｅｔｈｏｄ２
【０１４８】
Ｍｅｔｈｏｄ１はスケジューリング対象ＳＦの個数／区間の変動を考慮した単一サイズのｍｕｌｔｉ−ＳＦグラントＤＣＩ構成方法を提示し、相異なるＳＦの個数／区間（すなわち、Ｎｓｆ値）に対するｍｕｌｔｉ−ＳＦスケジューリングの支援ができるようにする。しかし、Ｎｓｆ値によるＤＣＩグラヌリティ変動とビットパッディング処理などによってスケジューリング正確性／オーバーヘッドの側面でちょっと非効率的であることもある。したがって、ＤＣＩに対するＢＤを増やさないながらもスケジューリング正確性／オーバーヘッドを改善させることができる部分（ｐａｒｔｉａｌ）ＤＣＩ送信に基づいたｍｕｌｔｉ−ＳＦスケジューリング方法を提案する。
【０１４９】
本方法で、ｍｕｌｔｉ−ＳＦスケジューリングのためのｍｕｌｔｉ−ＳＦグラントＤＣＩは基本的に二つの部分ＤＣＩで構成される。各部分ＤＣＩにはチャネル符号化が個別的に行われ、各部分ＤＣＩは互いに異なる制御チャネルリソース（例えば、（Ｅ）ＣＣＥ）を介して送信されることができる。具体的に、一番目部分ＤＣＩ（以下、部分ＤＣＩ−１）にはＮｓｆ情報、コンテンツタイプ１／２、及び一つのｆｉｒｓｔ−ＳＦに対するコンテンツタイプ３が含まれることができ、二番目部分ＤＣＩ（以下、部分ＤＣＩ−２）には（ｍｕｌｔｉ−ＳＦ内で）ｆｉｒｓｔ−ＳＦを除いた残りのＳＦに対するコンテンツタイプ３が含まれることができる。二つの部分ＤＣＩのペイロードサイズは互いに違うように設定されることができる。例えば、部分ＤＣＩ−１は固定されたペイロードサイズを有する反面、部分ＤＣＩ−２はＮｓｆ値によってペイロードサイズが変わることができる。
【０１５０】
一方、それぞれの部分ＤＣＩに対してはＣＲＣが個別的に生成／追加されることができる。一例として、部分ＤＣＩ−１のＣＲＣには既存のようにＣ−ＲＮＴＩに基づいたスクランブリング／マスキングが適用される反面、部分ＤＣＩ−２のＣＲＣには別途のスクランブリング／マスキングが適用されないこともある。この場合、二つの部分ＤＣＩのＣＲＣ長は互いに違うように設定されることができる（例えば、部分ＤＣＩ−２のＣＲＣが部分ＤＣＩ−１のＣＲＣより小さな長さを有する）。また、部分ＤＣＩ−２の送信リソースについての情報は部分ＤＣＩ−１検出によって決定されることができる。例えば、部分ＤＣＩ−２が送信されるリソースについての情報は部分ＤＣＩ−１を介して直接シグナリングされるとか、部分ＤＣＩ−１の送信リソースに特定オフセットが加わる方式で決定されることができる。部分ＤＣＩ−１の送信リソースが複数のリソースユニットで構成された場合、部分ＤＣＩ−２の送信リソース情報はＤＣＩ−１の送信リソースを構成する複数のリソースユニットのうち特定（例えば、一番目）リソースユニットのインデックスにオフセットが加わる方式で決定されることができる。
【０１５１】
本方法によって、端末はまずＢＤによって部分ＤＣＩ−１の検出を試みることができ、部分ＤＣＩ−１内の情報（例えば、Ｎｓｆ）及び／又は部分ＤＣＩ−１送信に使用されたリソースなどを基にして（部分ＤＣＩ−２のペイロードサイズ及び／又は送信リソースを決定して）部分ＤＣＩ−２に対する検出／復号を試みることができる。部分ＤＣＩ−１とそれに対応する部分ＤＣＩ−２を全て検出した場合、端末は部分ＤＣＩ−１／２の情報を結合してｍｕｌｔｉ−ＳＦに適用することができる。部分ＤＣＩ−１のみを検出し、部分ＤＣＩ−２の検出には失敗した場合、端末は１）部分ＤＣＩ−１をｆｉｒｓｔ−ＳＦにだけ適用するとか、２）部分ＤＣＩ−１を無視するように動作することができる。一方、Ｎｓｆ＝１の場合には部分ＤＣＩ−２に対する送信／検出が省略されることができ、部分ＤＣＩ−１をｆｉｒｓｔ−ＳＦに適用するように動作することができる。
【０１５２】
図１４は本発明によるＵＬ送信過程を例示する。
【０１５３】
図１４を参照すると、端末は複数のサブフレームについてのＵＬスケジューリング情報を含むＤＣＩ（すなわち、ｍｕｌｔｉ−ＳＦグラントＤＣＩ）を基地局から受信することができる（Ｓ１４０２）。ｍｕｌｔｉ−ＳＦグラントＤＣＩはＭｅｔｈｏｄ１又は２によって構成されることができる。その後、端末はＵＬスケジューリング情報によって複数のサブフレームで複数のＵＬチャネル（例えば、ＰＵＳＣＨ）を送信することができる。ここで、複数のサブフレームはｍｕｌｔｉ−ＳＦスケジューリングが行われることができる最大サブフレーム区間を意味するとか、ｍｕｌｔｉ−ＳＦスケジューリングが行われる最大サブフレーム区間内で実際にｍｕｌｔｉ−ＳＦスケジューリングが適用されるサブフレーム区間を意味することができる。複数のサブフレームの個数／区間を指示する情報（すなわち、Ｎｓｆ）はｍｕｌｔｉ−ＳＦグラントＤＣＩ内に含まれることができる。ｍｕｌｔｉ−ＳＦグラントＤＣＩはＵＣｅｌｌ上の複数のサブフレームについてのＵＬスケジューリング情報を含むことができる。また、ｍｕｌｔｉ−ＳＦグラントＤＣＩはＵＣｅｌｌ又はＬＣｅｌｌ（例えば、ＰＣｅｌｌ）上で受信されることができる。また、無線通信システムはＬＴＥ  ＬＡＡに基づいた無線通信システムを含むことができる。
【０１５４】
（３）Ｏｔｈｅｒ  ｉｓｓｕｅｓ
【０１５５】
Ｍｅｔｈｏｄ１／２又は他の方式によってｍｕｌｔｉ−ＳＦスケジューリングが適用される場合、ｍｕｌｔｉ−ＳＦグラントＤＣＩ内の（コンテンツタイプ２に相当することができる）ＣＳＩ要請及びＳＲＳ要請に対応するＵＬ  ＳＦ時点（例えば、非周期的ＣＳＩフィードバックを含むＰＵＳＣＨの送信時点、又は非周期的ＳＲＳ信号の送信時点）を設定することが必要である。ｍｕｌｔｉ−ＳＦグラントＤＣＩ内のＣＳＩ要請及び／又はＳＲＳ要請に対応するＵＬ  ＳＦ時点は、１）ｆｉｒｓｔ−ＳＦ（すなわち、ＵＬ送信がスケジューリングされた一番目ＳＦ）、２）ｍｕｌｔｉ−ＳＦ内（ｍｕｌｔｉ−ＳＦスケジューリングが適用される）最後のＳＦ（例えば、ＵＬ送信がスケジューリングされた最後のＳＦ）、又は３）最初にＣＣＡに成功したＳＦ（すなわち、ＵＣｅｌｌ無線チャネルがアイドル（ｉｄｌｅ）であると判断されたＳＦ）に設定されることができる。３）の場合、ＣＣＡ結果によってＳＲＳ送信時点が変わるので、これによって端末間にＳＲＳ送信とＰＵＳＣＨ送信が衝突する可能性が高くなることがある。一方、基地局がｍｕｌｔｉ−ＳＦでＵＬ  ＳＦ送信が終わった直後にすぐＤＬ  ＳＦ送信を構成しようとする場合にはＳＲＳ送信によって基地局のＣＣＡが失敗することができるので、２）より１）が好ましいことがある。
【０１５６】
図１５は本発明によるＳＲＳ送信過程を例示する。
【０１５７】
図１５を参照すると、端末は複数のサブフレームについてのＵＬスケジューリング情報を含むＤＣＩ（すなわち、ｍｕｌｔｉ−ＳＦグラントＤＣＩ）を基地局から受信することができる（Ｓ１５０２）。ｍｕｌｔｉ−ＳＦグラントＤＣＩはＳＲＳ要請情報をさらに含むことができる。ｍｕｌｔｉ−ＳＦグラントＤＣＩはＭｅｔｈｏｄ１又は２によって構成されることができる。その後、端末はＳＲＳ要請情報の指示に従って、複数のサブフレーム内の既指定のサブフレームを介して１回のみＳＲＳを送信することができる（Ｓ１５０４）。ここで、既指定のサブフレームは複数のサブフレーム内でＵＬ送信がスケジューリングされた最初のサブフレーム又はＵＬ送信がスケジューリングされた最後のサブフレームを含むことができる。ここで、複数のサブフレームはｍｕｌｔｉ−ＳＦスケジューリングが行われることができる最大サブフレーム区間を意味するとか、ｍｕｌｔｉ−ＳＦスケジューリングが行われる最大サブフレーム区間内で実際にｍｕｌｔｉ−ＳＦスケジューリングが適用されるサブフレーム区間を意味することができる。複数のサブフレームの個数／区間を指示する情報（すなわち、Ｎｓｆ）はｍｕｌｔｉ−ＳＦグラントＤＣＩ内に含まれることができる。一方、端末は、ｍｕｌｔｉ−ＳＦグラントＤＣＩ内のＵＬスケジューリング情報に基づき、複数のサブフレームで複数のＵＬ送信（例えば、ＰＵＳＣＨ送信）を行うことができる。また、ｍｕｌｔｉ−ＳＦグラントＤＣＩはＵＣｅｌｌ上の複数のサブフレームについてのＵＬスケジューリング情報を含み、ＳＲＳはＵＣｅｌｌ上で送信されることができる。また、ｍｕｌｔｉ−ＳＦグラントＤＣＩはＵＣｅｌｌ又はＬＣｅｌｌ（例えば、ＰＣｅｌｌ）上で受信されることができる。また、無線通信システムはＬＴＥ  ＬＡＡに基づいた無線通信システムを含むことができる。
【０１５８】
また、ｍｕｌｔｉ−ＳＦグラントＤＣＩ内の（コンテンツタイプ２に当たることができる）ＤＡＩ値が適用される（例えば、該当ＤＡＩ値に基づいてＰＵＳＣＨを介して送信されるＨＡＲＱ−ＡＣＫペイロードサイズが決定される）ＵＬ  ＳＦ時点は、１）ｆｉｒｓｔ−ＳＦのみに設定されるとか、２）ｍｕｌｔｉ−ＳＦ内で最初にＨＡＲＱ−ＡＣＫ送信が行われるＳＦのみに設定されることができる。ｍｕｌｔｉ−ＳＦ内の残りのＵＬ  ＳＦでのＰＵＳＣＨを介して送信されるＨＡＲＱ−ＡＣＫペイロードサイズは最大サイズ（例えば、該当ＵＬ  ＳＦにリンクされたバンドリングウィンドウ内の総ＤＬ  ＳＦ数）として決定されることができる。さらに他の方法として、ＤＣＩオーバーヘッドを減らすために、ｍｕｌｔｉ−ＳＦグラントＤＣＩ内のＤＡＩフィールド構成及びこれによるＤＡＩシグナリングを省略することができる。これにより、ｍｕｌｔｉ−ＳＦグラントＤＣＩを介してスケジューリングされた全てのＵＬ  ＳＦでのＰＵＳＣＨを介して送信されるＨＡＲＱ−ＡＣＫペイロードサイズはいつも最大サイズとして決定されることができる。
【０１５９】
一方、ｍｕｌｔｉ−ＳＦグラントＤＣＩに含まれたＴＰＣに対しては（受信されたＴＰＣコマンドに対する）累積（ａｃｃｕｍｕｌａｔｉｏｎ）設定によって、１）累積がイネーブル（ｅｎａｂｌｅ）された場合には該当ＴＰＣをｆｉｒｓｔ−ＳＦに一度だけ適用するように動作することができ、２）累積がディセーブル（ｄｉｓａｂｌｅ）された場合には該当ＴＰＣをスケジューリングされたｍｕｌｔｉ−ＳＦに属する全てのＳＦに毎度適用するように動作することができる。
【０１６０】
（４）ＵＣｅｌｌ  ｓｃｈｅｄｕｌｉｎｇ
【０１６１】
ＣＣＡに基づいて動作するＵＣｅｌｌに対するＵＬＰＵＳＣＨスケジューリング（このためのＵＬグラントＤＣＩ送信）を該当ＵＣｅｌｌで行うｓｅｌｆ−ＣＣスケジューリング状況を考慮する場合、実際にＰＤＳＣＨスケジューリングが要求されない状況にもかかわらず、基地局はＵＬグラントＤＣＩ送信のためのＤＬ区間を（ＣＣＡに基づいて）構成／確保しなければならないことがある。しかし、これにより、ＵＣｅｌｌ上の柔軟で効率的なＤＬ／ＵＬリソース区間（例えば、ＳＦ）構成が容易でないことがあり、全体的なシステム性能が低下することがある。
【０１６２】
このような問題に鑑み、一つのＵＣｅｌｌに対するＤＬスケジューリング（このためのＤＬグラント送信）を行うセル（すなわち、ＤＬスケジューリングセル）は、既存と同様に、一つのセルに設定する反面、ＵＬスケジューリング（このためのＵＬグラント送信）を行うセル（すなわち、ＵＬスケジューリングセル）は複数のセルに設定する方案を考慮することができる。これにより、端末はＵＣｅｌｌ  ＤＬスケジューリングに対しては一時点に一つのＤＬスケジューリングセル上でのみＤＬグラントＤＣＩ検出を行う反面、ＵＣｅｌｌ  ＵＬスケジューリングに対しては一時点に複数のＵＬスケジューリングセル上で同時にＵＬグラントＤＣＩ検出を行うように動作することができる。例えば、一つのＵＣｅｌｌに対して二つのＵＬスケジューリングセルが設定されることができる。この場合、二つのＵＬスケジューリングセルは、１）スケジューリング対象である該当ＵＣｅｌｌと一つのＬＣｅｌｌに設定されるとか、２）互いに異なる二つのＬＣｅｌｌに設定されることができる。
【０１６３】
このような設定下で、ＵＬグラントＤＣＩ検出のためのさらに他の方法として、複数のＵＬスケジューリングセルのうちどのセル上で（スケジューリング対象）ＵＣｅｌｌに対するＵＬグラントＤＣＩ検出を行うかを、該当ＵＣｅｌｌ（又はＰＣｅｌｌ）上に送信される特定シグナリング（例えば、端末共通ＰＤＣＣＨ）を介して端末に指示する方式を考慮することができる。この場合、端末は特定シグナリングを介して指示されたＵＬスケジューリングセル上でのみ該当ＵＣｅｌｌに対するＵＬグラントＤＣＩ検出を行うように動作することができる。端末が特定シグナリング検出に失敗した場合には、１）最近に指示されたＵＬスケジューリングセル上でＵＬグラントＤＣＩ検出を行うとか、２）複数のＵＬスケジューリングセルのうち（予め指定された）特定ＬＣｅｌｌ上でＵＬグラントＤＣＩ検出を行うように動作することができる。
【０１６４】
追加的に、（前記とは反対に）一つのＵＣｅｌｌに対して一つのＵＬスケジューリングセルと複数（例えば、二つ）のＤＬスケジューリングセルを設定する方式も可能である。二つのＤＬスケジューリングセルを考慮する場合、ＤＬスケジューリングセルは、１）スケジューリング対象である該当ＵＣｅｌｌと一つのＬＣｅｌｌに設定されるとか、２）互いに異なる二つのＬＣｅｌｌに設定されることができる。一方、本方法のＤＬ／ＵＬスケジューリングセル設定方式はＵＣｅｌｌに対するスケジューリングにだけ限られるが、ＬＣｅｌｌを含む任意のセルに対するスケジューリングにも一般的に適用されることができる。
【０１６５】
図１６は本発明に適用可能な基地局及び端末を例示する。
【０１６６】
図１６を参照すると、無線通信システムは、基地局（ＢＳ）１１０及び端末（ＵＥ）１２０を含む。無線通信システムがリレーを含む場合、基地局又は端末はリレーに取り替えられることができる。
【０１６７】
基地局１１０は、プロセッサ１１２、メモリ１１４及び無線周波数（Ｒａｄｉｏ  Ｆｒｅｑｕｅｎｃｙ、ＲＦ）ユニット１１６を含む。プロセッサ１１２は、本発明で提案した過程及び／又は方法を具現するように構成することができる。メモリ１１４は、プロセッサ１１２に接続され、プロセッサ１１２の動作に関連する様々な情報を格納する。ＲＦユニット１１６は、プロセッサ１１２に接続され、無線信号を送信及び／又は受信する。端末１２０は、プロセッサ１２２、メモリ１２４及びＲＦユニット１２６を含む。プロセッサ１２２は、本発明で提案した過程及び／又は方法を具現するように構成することができる。メモリ１２４は、プロセッサ１２２に接続され、プロセッサ１２２の動作に関連する様々な情報を格納する。ＲＦユニット１２６は、プロセッサ１２２に接続され、無線信号を送信及び／又は受信する。
【０１６８】
以上で説明した各実施例は、本発明の構成要素と特徴が所定の形態で結合されたものである。各構成要素又は特徴は、別の明示的な言及がない限り、選択的なものとして考慮しなければならない。各構成要素又は特徴は、他の構成要素や特徴と結合されない形態で実施することができる。また、一部の構成要素及び／又は特徴を結合して本発明の実施例を構成することも可能である。本発明の実施例で説明される動作の順序は変更可能である。ある実施例の一部構成や特徴は、他の実施例に含まれることができ、又は、他の実施例に対応する構成又は特徴に取って代わることもできる。特許請求の範囲において明示的な引用関係のない請求項を結合して実施例を構成したり、出願後の補正により新しい請求項として含めることができるということは自明である。
【０１６９】
本文書で、本発明の各実施例は主に端末と基地局間のデータ送受信関係を中心に説明した。本文書で基地局によって行われると説明された特定動作は、場合によっては、その上位ノード（ｕｐｐｅｒ  ｎｏｄｅ）によって行われてもよい。すなわち、基地局を含む複数のネットワークノード（ｎｅｔｗｏｒｋ  ｎｏｄｅｓ）からなるネットワークで端末との通信のために行う多様な動作は、基地局又は基地局以外の他のネットワークノードによって行えることは自明である。基地局は、固定局（ｆｉｘｅｄ  ｓｔａｔｉｏｎ）、Ｎｏｄｅ  Ｂ、ｅＮｏｄｅ  Ｂ（ｅＮＢ）、アクセスポイント（ａｃｃｅｓｓ  ｐｏｉｎｔ）などの用語に代替可能である。また、端末は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）などの用語に代替可能である。
【０１７０】
本発明に係る実施例は、様々な手段、例えば、ハードウェア、ファームウエア（ｆｉｒｍｗａｒｅ）、ソフトウェア又はそれらの結合などによって具現することができる。ハードウェアによる具現の場合、本発明の一実施例は、一つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現することができる。
【０１７１】
ファームウエアやソフトウェアによる具現の場合、本発明の一実施例は、以上で説明した機能又は動作を行うモジュール、過程、関数などの形態で具現することができる。ソフトウェアコードは、メモリユニットに格納されて、プロセッサによって駆動可能である。メモリユニットは、プロセッサの内部又は外部に位置し、既に公示となった多様な手段によりプロセッサとデータを交換することができる。
【０１７２】
本発明は、本発明の特徴を逸脱しない範囲で他の特定の形態に具体化できることは、当業者にとって自明である。したがって、上記の詳細な説明は、全ての面において制限的に解釈されてはならず、例示的なものとして考慮しなければならない。本発明の範囲は、添付の請求項の合理的な解釈によって決定しなければならず、本発明の等価的範囲内での全ての変更は本発明の範囲に含まれる。
【産業上の利用可能性】
【０１７３】
本発明は無線移動通信システムの端末機、基地局、又はその他の装備に使われることができる。
【図１】
2020039163.tif 000008
【図２】
2020039163.tif 000009
【図３】
2020039163.tif 000010
【図４】
2020039163.tif 000011
【図５】
2020039163.tif 000012
【図６】
2020039163.tif 000013
【図７】
2020039163.tif 000014
【図８】
2020039163.tif 000015
【図９】
2020039163.tif 000016
【図１０】
2020039163.tif 000017
【図１１】
2020039163.tif 000018
【図１２】
2020039163.tif 000019
【図１３】
2020039163.tif 000020
【図１４】
2020039163.tif 000021
【図１５】
2020039163.tif 000022
【図１６】
2020039163.tif 000023
【手続補正書】
【提出日】令和1年12月13日(2019.12.13)
【手続補正１】
【補正対象書類名】特許請求の範囲
【補正対象項目名】全文
【補正方法】変更
【補正の内容】
【特許請求の範囲】
【請求項１】
無線通信システムにおいて端末が通信を行う方法であって、
時間区間の個数Ｎｓｆに関連する情報を含む下りリンク制御情報（ＤＣＩ）を受信するステップであって、時間区間のそれぞれには物理上りリンク共有チャネル（ＰＵＳＣＨ）がスケジューリングされ、各時間区間は複数の連続するＯＦＤＭベースのシンボルを含む、ステップと、
前記ＤＣＩに基づいて、Ｎｓｆ個の連続する時間区間で１つ以上のＰＵＳＣＨ送信を行うステップと、
を含み、
前記ＤＣＩのサイズは、Ｎｓｆ＿ｍａｘに基づいて定義され、前記Ｎｓｆ＿ｍａｘは、Ｎｓｆの最大個数を表し、Ｎｓｆは複数の正の整数の１つに設定される、方法。
【請求項２】
前記Ｎｓｆ個の連続する時間区間は、１つ以上の連続するサブフレーム又はスロットを含む、請求項１に記載の方法。
【請求項３】
前記ＤＣＩのサイズは、Ｎｓｆ＿ｍａｘ個の新規データ指示子（ＮＤＩ）ビットに基づいて定義され、それぞれに前記ＰＵＳＣＨがスケジューリングされる前記Ｎｓｆ個の連続する時間区間に対応するＮｓｆ個のＮＤＩビットのみが、前記ＤＣＩにおいて使用される、請求項１又は２に記載の方法。
【請求項４】
前記ＤＣＩは、前記Ｎｓｆ個の連続する時間区間に共通に適用される第１情報、前記Ｎｓｆ個の連続する時間区間の１つにのみ適用される第２情報、及び前記Ｎｓｆ個の連続する時間区間のそれぞれに個別に適用される第３情報を含み、
前記第１情報は、リソース割当（ＲＡ）情報、変調及び符号方式（ＭＣＳ）情報、復調参照信号循環シフト（ＤＭＲＳ  ＣＳ）情報、及び送信電力制御（ＴＰＣ）情報を含み、前記第２情報は、チャネル状態情報（ＣＳＩ）要請情報及びサウンディング参照信号（ＳＲＳ）情報を含み、前記第３情報は、新規データ指示子（ＮＤＩ）情報、リダンダンシーバージョン（ＲＶ）情報、及びＨＡＲＱプロセス番号情報を含む、請求項１〜３のいずれか一項に記載の方法。
【請求項５】
前記Ｎｓｆは前記Ｎｓｆ＿ｍａｘより小さい、請求項１〜４のいずれか一項に記載の方法。
【請求項６】
Ｎｓｆ個の連続する時間区間内の前記１つ以上のＰＵＳＣＨ送信は、ＵＣｅｌｌ上で動作する、請求項１〜５のいずれか一項に記載の方法。
【請求項７】
無線通信システムにおける端末であって、
ＲＦモジュールと、
プロセッサと、を含み、
前記プロセッサは、時間区間の個数Ｎｓｆに関連する情報を含む下りリンク制御情報（ＤＣＩ）を受信し、時間区間のそれぞれには物理上りリンク共有チャネル（ＰＵＳＣＨ）がスケジューリングされ、各時間区間は複数の連続するＯＦＤＭベースのシンボルを含み、前記ＤＣＩに基づいて、Ｎｓｆ個の連続する時間区間で１つ以上のＰＵＳＣＨ送信を行うように構成され、
前記ＤＣＩのサイズは、Ｎｓｆ＿ｍａｘに基づいて定義され、前記Ｎｓｆ＿ｍａｘは、Ｎｓｆの最大個数を表し、Ｎｓｆは複数の正の整数の１つに設定される、端末。
【請求項８】
前記Ｎｓｆ個の連続する時間区間は、１つ以上の連続するサブフレーム又はスロットを含む、請求項７に記載の端末。
【請求項９】
前記ＤＣＩのサイズは、Ｎｓｆ＿ｍａｘ個の新規データ指示子（ＮＤＩ）ビットに基づいて定義され、それぞれに前記ＰＵＳＣＨがスケジューリングされる前記Ｎｓｆ個の連続する時間区間に対応するＮｓｆ個のＮＤＩビットのみが、前記ＤＣＩにおいて使用される、請求項７又は８に記載の端末。
【請求項１０】
前記ＤＣＩは、前記Ｎｓｆ個の連続する時間区間に共通に適用される第１情報、前記Ｎｓｆ個の連続する時間区間の１つにのみ適用される第２情報、及び前記Ｎｓｆ個の連続する時間区間のそれぞれに個別に適用される第３情報を含み、
前記第１情報は、リソース割当（ＲＡ）情報、変調及び符号方式（ＭＣＳ）情報、復調参照信号循環シフト（ＤＭＲＳ  ＣＳ）情報、及び送信電力制御（ＴＰＣ）情報を含み、前記第２情報は、チャネル状態情報（ＣＳＩ）要請情報及びサウンディング参照信号（ＳＲＳ）情報を含み、前記第３情報は、新規データ指示子（ＮＤＩ）情報、リダンダンシーバージョン（ＲＶ）情報、及びＨＡＲＱプロセス番号情報を含む、請求項７〜９のいずれか一項に記載の端末。
【請求項１１】
前記Ｎｓｆは前記Ｎｓｆ＿ｍａｘより小さい、請求項７〜１０のいずれか一項に記載の端末。
【請求項１２】
Ｎｓｆ個の連続する時間区間内の前記１つ以上のＰＵＳＣＨ送信は、ＵＣｅｌｌ上で動作する、請求項７〜１１のいずれか一項に記載の端末。